(57)【要約】【課題】  普通図柄に対する期待感を高揚させることによって、興趣の向上を図ることができる弾球遊技機及びシミュレーションプログラム。【解決手段】  パチンコ遊技機は、遊技領域における所定領域を遊技球が通過したことを条件に識別情報の可変表示を行う。パチンコ遊技機は、普通図柄の可変表示の結果が所定の表示態様となったことを条件に、その所定の表示態様となったことに関する表示態様情報を保持する。パチンコ遊技機は、保持された表示態様情報が複数となったことを条件に、それら表示態様情報のうち複数の表示態様情報に対応する態様で羽根部材を第一の状態に制御する。【選択図】        図１７
2006230671.tif 000002
【特許請求の範囲】
【請求項１】
遊技球が転動可能な遊技領域を有する遊技盤と、
前記遊技盤の前記遊技領域における所定領域を遊技球が通過したことを条件に識別情報の可変表示を行う可変表示手段と、
前記遊技盤の前記遊技領域において、遊技球を受け入れ易い第一の状態と遊技球を受け入れ難い第二の状態とに変位可能な可変入賞装置と、
前記識別情報の可変表示の結果が所定の表示態様となったことを条件に、前記可変入賞装置を所定の態様で前記第一の状態に制御する可変入賞装置制御手段とを備えた弾球遊技機において、
前記識別情報の可変表示の結果が所定の表示態様となったことを条件に、当該所定の表示態様となったことに関する表示態様情報を保持する表示態様情報保持手段とを備え、
前記可変入賞装置制御手段は、前記表示態様情報保持手段によって保持された表示態様情報が複数となったことを条件に、当該表示態様情報のうち複数の表示態様情報に対応する態様で前記可変入賞装置を前記第一の状態に制御する機能を有することを特徴とする弾球遊技機。
【請求項２】
請求項１に記載の弾球遊技機において、
遊技者によって操作可能な解除操作手段を備え、
前記可変入賞装置制御手段は、前記解除操作手段の操作に応じて、前記複数の表示態様情報に対応する態様で、前記可変入賞装置を前記第一の状態に制御する機能を有することを特徴とする弾球遊技機。
【請求項３】
請求項１又は２に記載の弾球遊技機において、
遊技者によって操作可能な遊技操作手段と、
前記遊技操作手段の操作に応じて、前記識別情報の可変表示の結果が所定の表示態様となった場合に前記表示態様情報保持手段によって表示態様情報を保持させるか否かを決定する情報保持決定手段とを備えたことを特徴とする弾球遊技機。
【請求項４】
請求項１から３のいずれかに記載の弾球遊技機において、
前記表示態様情報保持手段によって保持されている表示態様情報に関する報知を行う表示態様情報報知手段を備えたことを特徴とする弾球遊技機。
【請求項５】
遊技球画像が転動表示可能な遊技領域における所定領域を遊技球画像が通過したことを条件に識別情報の可変表示を行わせる制御を行う可変表示制御処理と、
前記可変表示制御処理において、前記遊技領域において遊技球を受け入れ易い第一の状態と遊技球を受け入れ難い第二の状態とに変動可能な可変入賞装置画像を表示させる制御を行う処理と、
前記識別情報の可変表示の結果が所定の表示態様となったことを条件に、前記可変入賞装置画像を所定の態様で前記第一の状態に制御する可変入賞装置制御処理とをコンピュータに実行させるシミュレーションプログラムにおいて、
前記識別情報の可変表示の結果が所定の表示態様となったことを条件に、当該所定の表示態様となったことに関する表示態様情報を保持する表示態様情報保持処理と、
前記可変入賞装置制御処理において、前記表示態様情報保持処理において保持された表示態様情報が複数となったことを条件に、当該表示態様情報のうち複数の表示態様情報に対応する態様で前記可変入賞装置画像を前記第一の状態に表示させる制御を行う処理とをコンピュータに実行させることを特徴とするシミュレーションプログラム。
【発明の詳細な説明】
【技術分野】
【０００１】
本発明は、弾球遊技機及びシミュレーションプログラムに関するものであり、特に、遊技球を入球し易い第一の状態と入球し難い第二の状態とに可変する可変入賞が可能な弾球遊技機及びシミュレーションプログラムに関する。
【背景技術】
【０００２】
従来、パチンコ遊技機等の弾球遊技機において、発射された遊技球が転動可能な遊技領域に設けられた可変入賞装置（始動領域）に遊技球が受け入れられたことを主な条件として、可変表示装置の表示領域上に特別図柄を変動表示する制御を行い、変動表示が行われている特別図柄を導出表示する制御を行う可変表示制御手段が備えられ、導出表示された特別図柄が特定の表示態様となった場合に遊技者に有利な「大当り遊技状態」（所謂「大当り」）に移行するようにしたものが提供されている。
【０００３】
また、このような弾球遊技機では、一般的に、例えば、特許文献１に示すように、特別図柄の他にも普通図柄が可変表示を行うものが開示されている。普通図柄は、遊技領域における所定の領域を遊技球が通過したことを主な条件として、可変表示を行うこととなる。このように普通図柄の可変表示の結果が所定の表示態様となった場合には、上述した可変入賞装置が受け入れ易い第一の状態に制御される。この可変入賞装置は、通常時においては、受け入れ難い第二の状態に制御されており、第一の状態に制御されることによって、より一層特別図柄が可変表示し易くなる。具体的な一例としては、普通図柄の可変表示の結果が所定の表示態様となった場合には、遊技状態に応じて、可変入賞装置が、０．２秒間、１回だけ第一の状態となる、３秒間、１回だけ第一の状態となるなどである。
【特許文献１】特開２０００−２９６２１７号公報
【発明の開示】
【発明が解決しようとする課題】
【０００４】
しかしながら、上述した弾球遊技機では、普通図柄の可変表示の結果に基づいて、可変入賞装置が第一の状態となり、特別図柄が可変表示しやすくなるが、例えば、０．２秒間、１回だけ第一の状態となる、３秒間、１回だけ第一の状態となるなど、第一の状態となる時間が短時間であり、可変入賞装置が第一の状態となった場合であっても、遊技者によって意図して遊技球を入賞させることは容易ではなかった。このため、普通図柄の可変表示の結果に重きが置かれ遊技が行われることは稀であり、普通図柄の可変表示の結果に対する期待感を高揚させることが望まれている。
【０００５】
本発明は、上述したような課題に鑑みてなされたものであり、普通図柄に対する期待感を高揚させることによって、興趣の向上を図ることができる弾球遊技機及びシミュレーションプログラムを提供することを目的とする。
【課題を解決するための手段】
【０００６】
以上のような目的を達成するために、本発明は、以下のようなものを提供する。
【０００７】
（１）  遊技球が転動可能な遊技領域を有する遊技盤と、前記遊技盤の前記遊技領域における所定領域を遊技球が通過したことを条件に識別情報の可変表示を行う可変表示手段と、前記遊技盤の前記遊技領域において、遊技球を受け入れ易い第一の状態と遊技球を受け入れ難い第二の状態とに変位可能な可変入賞装置と、前記識別情報の可変表示の結果が所定の表示態様となったことを条件に、前記可変入賞装置を所定の態様で前記第一の状態に制御する可変入賞装置制御手段とを備えた弾球遊技機において、前記識別情報の可変表示の結果が所定の表示態様となったことを条件に、当該所定の表示態様となったことに関する表示態様情報を保持する表示態様情報保持手段とを備え、前記可変入賞装置制御手段は、前記表示態様情報保持手段によって保持された表示態様情報が複数となったことを条件に、当該表示態様情報のうち複数の表示態様情報に対応する態様で前記可変入賞装置を前記第一の状態に制御する機能を有することを特徴とする弾球遊技機。
【０００８】
（２）  （１）に記載の弾球遊技機において、遊技者によって操作可能な解除操作手段を備え、前記可変入賞装置制御手段は、前記解除操作手段の操作に応じて、前記複数の表示態様情報に対応する態様で、前記可変入賞装置を前記第一の状態に制御する機能を有することを特徴とする弾球遊技機。
【０００９】
（３）  （１）又は（２）に記載の弾球遊技機において、遊技者によって操作可能な遊技操作手段と、前記遊技操作手段の操作に応じて、前記識別情報の可変表示の結果が所定の表示態様となった場合に前記表示態様情報保持手段によって表示態様情報を保持させるか否かを決定する情報保持決定手段とを備えたことを特徴とする弾球遊技機。
【００１０】
（４）  （１）から（３）のいずれかに記載の弾球遊技機において、前記表示態様情報保持手段によって保持されている表示態様情報に関する報知を行う表示態様情報報知手段を備えたことを特徴とする弾球遊技機。
【００１１】
（５）  遊技球画像が転動表示可能な遊技領域における所定領域を遊技球画像が通過したことを条件に識別情報の可変表示を行わせる制御を行う可変表示制御処理と、前記可変表示制御処理において、前記遊技領域において遊技球を受け入れ易い第一の状態と遊技球を受け入れ難い第二の状態とに変動可能な可変入賞装置画像を表示させる制御を行う処理と、前記識別情報の可変表示の結果が所定の表示態様となったことを条件に、前記可変入賞装置画像を所定の態様で前記第一の状態に制御する可変入賞装置制御処理とをコンピュータに実行させるシミュレーションプログラムにおいて、前記識別情報の可変表示の結果が所定の表示態様となったことを条件に、当該所定の表示態様となったことに関する表示態様情報を保持する表示態様情報保持処理と、前記可変入賞装置制御処理において、前記表示態様情報保持処理において保持された表示態様情報が複数となったことを条件に、当該表示態様情報のうち複数の表示態様情報に対応する態様で前記可変入賞装置画像を前記第一の状態に表示させる制御を行う処理とをコンピュータに実行させることを特徴とするシミュレーションプログラム。
【００１２】
（１）又は（５）に記載の発明によれば、識別情報の可変表示の結果が所定の表示態様となったことを条件に、その所定の表示態様となったことに関する表示態様情報を保持する。そして、保持された表示態様情報が複数となったことを条件に、その表示態様情報のうち複数の表示態様情報に対応する態様で可変入賞装置を、遊技球を受け入れ易い第一の状態に制御する。このため、第一の状態に制御するタイミングを集中させることによって、遊技者によって意図して可変入賞装置に遊技球を入賞させ易くなる。従って、このような機会を提供することによって、識別情報に対する期待感を高揚させることによって、遊技に対する興趣の向上を図ることができる。もちろん、第一の状態となる時間が短時間であっても長時間であっても、第一の状態となる時間がより長くなる。
【００１３】
（２）に記載の発明によれば、遊技者によって操作可能な解除操作手段の操作に応じて、複数の表示態様情報に対応する態様で、可変入賞装置を第一の状態に制御する。このため、遊技者の意図するタイミングで可変入賞装置を第一の状態に制御することができ、より一層、識別情報に対する期待感を高揚させることによって、遊技に対する興趣の向上を図ることができる。
【００１４】
（３）に記載の発明によれば、遊技者によって操作可能な遊技操作手段の操作に応じて、識別情報の可変表示の結果が所定の表示態様となった場合に、表示態様情報を保持させるか否かを決定する。このため、遊技者の所望とする遊技態様で遊技を行うことができる。
【００１５】
（４）に記載の発明によれば、保持されている表示態様情報に関する報知を行う。このため、保持されている表示態様情報の数や、第一の状態に移行させる時間など、表示態様情報を遊技者に認識させる機会を提供することにより、より一層、識別情報に対する期待感を高揚させることによって、遊技に対する興趣の向上を図ることができる。
【発明の効果】
【００１６】
この発明によれば、識別情報に対する期待感を高揚させることによって、遊技に対する興趣の向上を図ることができる。
【発明を実施するための最良の形態】
【００１７】
以下に、本発明に好適な実施形態について図面に基づいて説明する。
【００１８】
［遊技機の構成］
本実施形態における遊技機の概観について図１から図３を用いて説明する。尚、以下において説明する実施形態においては、本発明に係る遊技機に好適な実施形態として本発明を第１種パチンコ遊技機（「デジパチ」とも称される。）に適用した場合を示す。
【００１９】
パチンコ遊技機１０は、図１及び図２に示すように、ガラスドア１１、木枠１２、ベースドア１３、遊技盤１４、皿ユニット２１、画像を表示する液晶表示装置３２、遊技球を発射する発射装置１３０、基板ユニット４００、遊技価値を付与する球払出ユニット５００などから構成されている。
【００２０】
上述したガラスドア１１は、図２に示すように、ベースドア１３に対して開閉自在に軸着されている。また、このガラスドア１１の中央には、図１に示すように、開口１１ａが形成されている。また、この開口１１ａには、透過性を有する保護ガラス１９が配設されている。この保護ガラス１９は、ガラスドア１１が閉鎖された状態で、後述する遊技盤１４の前面に対面するように配設されている。特に、この保護ガラス１９は、少なくとも遊技領域１５の全域と対面するように配設されておればよいが、遊技領域１５に該当しない遊技盤１４の前面領域１６（以降、遊技領域外１６と称する）に対面するように配設されてもよい。
【００２１】
また、ガラスドア１１は、その開口１１ａの下方に、コントロールパネル８０が配設されている。このコントロールパネル８０には、遊技球の貸し出し用操作部８２、メニュー画面表示、メニュー選択、決定、取り消しなどのメニュー操作部８４、遊技の進行に関する操作などのゲーム操作部８８などが含まれている。
【００２２】
上述した皿ユニット２１は、図２に示すように、ガラスドア１１の下方に位置するように、ベースドア１３に配設されている。皿ユニット２１には、図１に示すように、その上方に上皿２０が設けられている。また、上皿２０の下方には下皿２２が設けられている。上皿２０には、後述する遊技領域１５に発射させるための遊技球が貯留される。また、上皿２０及び下皿２２には、遊技球の貸し出し、遊技球の払出し（賞球）を行うための払出口２０ａ、２２ａが形成されており、所定の払出条件が成立した場合には、後述する球払出ユニット５００に貯留されている遊技球が排出されることとなる。
【００２３】
上述した発射装置１３０は、図２に示すように、皿ユニット２１の側方に位置するように、ベースドア１３に配設されている。この発射装置１３０には、図１に示すように、遊技者によって操作可能な発射ハンドル２６が配設されている。発射ハンドル２６は、回動自在に設けられており、遊技者によって発射ハンドル２６が操作されることによりパチンコ遊技を進めることができる。また、発射ハンドル２６の裏側には、発射モータ（図示せず）、球送りソレノイド（図示せず）などが設けられている。尚、遊技を行う遊技者は、発射ハンドル２６等の操作が可能なパチンコ遊技機１０の前方側に位置することとなる。つまり、このパチンコ遊技機１０は、前方から遊技可能である。
【００２４】
また、この発射ハンドル２６の周縁には、タッチセンサ（図示せず）、発射停止スイッチ（図示せず）などが設けられている。このタッチセンサが触接されたときには、遊技者により発射ハンドル２６が握持されたと検知される。発射ハンドル２６が遊技者によって握持され、かつ、時計回り方向へ回動操作されたときには、その回動角度に応じて発射モータに電力が供給され、上皿２０に貯留された遊技球が遊技盤１４に順次発射される。また、発射ハンドル２６が回動操作されている場合であっても、この発射停止スイッチが操作されたときには、発射装置１３０によって遊技球が発射されない。
【００２５】
尚、発射ハンドル２６に設けられるタッチセンサは、遊技者が発射ハンドル２６を握持したと判別できるものであればよく、光学的に検知するものや、熱により検知するもの等、センサの種類を問わない。
【００２６】
上述した遊技盤１４は、図２に示すように、ガラスドア１１における保護ガラス１９の後方に位置するように、ベースドア１３の前方に配設されている。この遊技盤１４は、その全部が透過性を有する板形状の樹脂によって形成されている。この透過性を有する樹脂としては、例えば、アクリル樹脂、ポリカーボネート樹脂、メタクリル樹脂など各種の材質が該当する。つまり、遊技盤１４は、透光性部材により一部又は全部が後方を視認可能に形成されている。遊技盤１４は、その前面に、発射された遊技球が転動可能な遊技領域１５を有している。この遊技領域１５は、図１に示すように、ガイドレール３０などに囲まれ、遊技球が転動可能な領域である。また、遊技盤１４における遊技領域１５には複数の障害釘（図示せず）が設けられている。このように、発射装置１３０によって発射された遊技球は、遊技盤１４上に設けられたガイドレール３０に案内されて遊技盤１４の上部に移動し、その後、上述した複数の障害釘との衝突によりその進行方向を変えながら遊技盤１４の下方に向かって落下することとなる。また、この遊技盤１４は、詳しくは後述するが、遊技場の管理者などによって他の遊技盤に交換可能であり、遊技盤を交換することにより、バリエーションに富んだ遊技を提供することができる。
【００２７】
この遊技盤１４の前面中央には、始動口４４、シャッタ４０などが設けられている。この始動口４４に遊技球が入球したことを条件として、特別図柄（識別情報の一例）の可変表示が実行されることとなる。また、詳しくは後述するが、この特別図柄の可変表示の結果に応じて、通常遊技状態よりも遊技者に相対的に有利な大当り遊技状態（特定遊技状態、所謂、「大当り」）となる。この大当り遊技状態となった場合には、シャッタ４０が開放状態に制御され、大入賞口３９に遊技球が受け入れ容易な開放状態となることがある。
【００２８】
上述したように、ガラスドア１１、遊技盤１４、皿ユニット２１、発射装置１３０が配設されたベースドア１３は、図２に示すように、木枠１２に軸着されている。ベースドア１３の中央には開口１３ａが形成されている。このため、ベースドア１３の後方に配設される液晶表示装置３２の表示領域３２ａが、透過性を有する遊技盤１４、保護ガラス１９を介して、前方から視認可能となる。また、このベースドア１３の上方には、スピーカ４６Ｌ、４６Ｒが配設される。
【００２９】
また、遊技盤１４の中央には、図３に示すように、特別図柄表示装置３３が配設されている。この特別図柄表示装置３３は、７セグ表示が可能な表示装置であり、特別図柄ゲームにおいて特別図柄の可変表示を行うものである。この特別図柄表示装置３３における特別図柄は、一列の図柄列で構成されているが、これに限らず、例えば、複数の図柄列で構成されていてもよい。この特別図柄は、数字や記号等からなる図柄であり、本実施形態においては、“０”から“９”の数字、“−”の絵柄を用いる。
【００３０】
「可変表示」とは、変動可能に表示される概念であり、例えば、実際に変動して表示される「変動表示」、実際に停止して表示される「停止表示」等を可能とするものである。また、「可変表示」は、特別図柄ゲームの結果として識別情報が表示される「導出表示」を行うことができる。また、変動表示が開始されてから導出表示されるまでを１回の可変表示と称する。
【００３１】
また、この特別図柄表示装置３３において、特別図柄の導出表示が行われ、導出表示された特別図柄が特定の表示態様（例えば、“０”から“９”のいずれかが導出表示される態様、所謂「大当り表示態様」）になったことに基づいて、遊技状態を遊技者に有利な大当り遊技状態（特定遊技状態）に移行することとなる。また、導出表示された特別図柄が非特定の表示態様（例えば、“−”が導出表示される態様、所謂「はずれ態様」）になった場合には、大当り遊技状態に移行しない。
【００３２】
また、導出表示された特別図柄が、特定の表示態様のうちの特別の表示態様（例えば、“１”、“３”、“５”、“７”、“９”が導出表示される態様、所謂「確変大当り表示態様」）になったことに基づいて、遊技状態を遊技者に有利な大当り遊技状態に移行し、その大当り遊技状態が終了した場合に、確変状態に移行することとなる。一方、導出表示された特別図柄が、特定の表示態様のうち、特別の表示態様ではない非特別の表示態様（例えば、“０”、“２”、“４”、“６”、“８”が導出表示される態様、所謂「普通大当り表示態様」）になったことに基づいて、遊技状態を遊技者に有利な大当り遊技状態に移行し、その大当り遊技状態が終了した場合に、遊技者に相対的に不利な通常遊技状態に移行することとなる。
【００３３】
上述したような確変状態では、通常遊技状態よりも相対的に大当り遊技状態に移行する確率が向上する。尚、導出表示された特別図柄が特別の表示態様となった場合に大当り遊技状態に移行し、その大当り遊技状態の終了後に確変状態に移行する遊技状態を、特別大当り遊技状態と称する。また、導出表示された特別図柄が非特別の表示態様となった場合に大当り遊技状態に移行し、その大当り遊技状態の終了後に通常遊技状態に移行する遊技状態を、普通大当り遊技状態と称する。
【００３４】
また、大当り遊技状態となった後に、確変状態となる特別大当りにおいては、大当り遊技状態中におけるラウンド制御の上限ラウンド数が１５ラウンドとなる。つまり、遊技者に相対的に有利な第一の大当り遊技状態に遊技状態が移行されることとなる。一方、大当り遊技状態となった後に、確変状態とならない普通大当りにおいては、大当り遊技状態中におけるラウンド制御の上限ラウンド数が２ラウンドとなる。
【００３５】
上述した液晶表示装置３２は、ベースドア１３に配設されている。この液晶表示装置３２は、遊技に関する画像を表示するための表示領域３２ａを有している。この液晶表示装置３２は、開口１３ａを介して、遊技盤１４の後方（背面側）に配設されることとなる。また、液晶表示装置３２は、表示領域３２ａが開口１３ａを介して遊技盤１４の全部又は一部と背面側から奥行き方向に重なるように配設されている。この液晶表示装置３２における表示領域３２ａには、詳しくは後述するが、特別図柄ゲームにおける特別図柄の可変表示に伴って可変表示を行う装飾図柄、遊技に係る背景画像、演出画像等、各種の遊技に関する画像が所定の態様で表示されることとなる。つまり、液晶表示装置３２は、遊技に関する演出画像を表示する。また、言い換えると、液晶表示装置３２は、遊技に関する演出画像を視認可能に表示する表示領域３２ａを有することとなる。また、言い換えると、液晶表示装置３２は、装飾図柄（識別情報の一例）の可変表示を行う。特に、詳しくは後述するが、液晶表示装置３２は、普通図柄ゲームにおける当り保留個数に関する報知画像を表示する。尚、本実施形態における液晶表示装置３２は、表示態様情報報知手段の一例に相当する。
【００３６】
また、この液晶表示装置３２には、特別図柄表示装置３３における特別図柄の可変表示に合わせて、複数の図柄列（本実施形態においては３列）に対応する装飾図柄が可変表示される。言い換えると、液晶表示装置３２は、複数の図柄列（表示列）のそれぞれにおいて装飾図柄の可変表示を行う。これら複数の図柄列において装飾図柄の導出表示が行われ、特別図柄表示装置３３における特別図柄の可変表示の結果が特定の表示態様となる場合には、導出表示された複数の装飾図柄の組合せが特定の組合せ（例えば、複数の図柄列のそれぞれに“０”から“９”のいずれかが全て揃った状態で導出表示される態様、所謂「大当り表示態様」）となり、遊技状態を遊技者に有利な大当り遊技状態に移行することとなる。また、特別図柄表示装置３３における特別図柄の可変表示の結果が確変大当り表示態様となる場合には、導出表示された複数の装飾図柄の組合せが、特定の組合せのうちの特別の組合せ（例えば、複数の図柄列のそれぞれに“１”、“３”、“５”、“７”、“９”のうちいずれかが全て揃った状態で導出表示される態様、所謂「確変大当り表示態様」）となり、遊技状態を遊技者に有利な大当り遊技状態に移行し、その大当り遊技状態が終了した場合に、確変状態に移行することとなる。一方、特別図柄表示装置３３における特別図柄の可変表示の結果が普通大当り表示態様となる場合には、導出表示された複数の装飾図柄の組合せが、特定の組合せのうちの特別の組合せではない非特別の組合せ（例えば、複数の図柄列のそれぞれに“０”、“２”、“４”、“６”、“８”のうちいずれかが全て揃った状態で導出表示される態様、所謂「普通大当り表示態様」）となり、遊技状態を遊技者に有利な大当り遊技状態に移行し、その大当り遊技状態が終了した場合に、通常遊技状態に移行することとなる。また、液晶表示装置３２には、これらの装飾図柄の他にも、背景画像、演出用の演出画像等が表示される。
【００３７】
このように、遊技者によってパチンコ遊技機１０の前方から遊技が行われている場合、つまり、ガラスドア１１が閉鎖した状態である場合には、透過性を有する遊技盤１４の背面側に液晶表示装置３２が配設されるとともに、遊技盤１４の前面側に透過性を有する保護ガラス１９が配設されるので、液晶表示装置３２における表示領域３２ａに表示された画像が、透過性を有する遊技盤１４及び保護ガラス１９を介して遊技者に対して視認可能となる。
【００３８】
このため、詳しくは後述するが、透過性を有する遊技盤１４の背面に液晶表示装置３２が配設され、液晶表示装置３２の表示領域３２ａにおいて各種の演出を行うことによって、従来の遊技機にはなかった斬新な表示演出を提供することができ、興趣の向上を図ることができる。また、従来の遊技機においては、表示領域のサイズを大きくすることによって、遊技領域のサイズが小さくなる可能性があった。また、表示領域のサイズを大きくしないで、各種の画像を表示することは、遊技者にとって視認することが煩雑となるおそれもあった。そこで、後述するような表示演出を実行することによって、液晶表示装置３２における表示領域のサイズにとらわれない多種多様な演出を実行でき、興趣の向上を図ることができる。また、遊技盤１４と、その遊技盤１４の後方に配設される液晶表示装置３２との間に隙間を設けたので、障害釘の調整を行う際などにおける衝撃が液晶表示装置３２に伝導しにくく、液晶表示装置３２を傷つけることを防止し、液晶表示装置３２の製品寿命を永らえることができる。尚、液晶表示装置３２に、役物、入賞口、球流路、リールの配置等のための穴を設けてもよい。
【００３９】
尚、本実施形態において、画像を表示する部分として液晶ディスプレイパネルからなる液晶表示装置３２を採用したが、これに限らず、他の態様であってもよく、例えば、ＣＲＴ（Cathode  Ray  Tube）を含むブラウン管、ドットＬＥＤ（Light  Emitting  Diode）、セグメントＬＥＤ、ＥＬ（Electronic  Luminescent）、プラズマ等からなるものであってもよい。
【００４０】
上述した木枠１２は、木製の枠体であり、図２に示すように、その前方にベースドア１３が軸着される。尚、本実施形態においては、木製の木枠１２を用いた構成としたが、これに限らず、別の態様であってもよく、例えば、金属製、樹脂製の枠体を用いた構成としてもよい。また、この木枠１２の中央には、開口１２ａが形成されている。この開口１２ａには、上述したベースドア１３、液晶表示装置３２、詳しく後述する基板ユニット４００、球払出ユニット５００などが配置される。
【００４１】
上述した基板ユニット４００は、ベースドア１３の後方に軸着されている。基板ユニット４００には、パチンコ遊技機１０を制御するための回路が形成された各種の基板（図示せず）などが内蔵されており、それらの基板が基板ケース（図示せず）によって覆われている。
【００４２】
上述した球払出ユニット５００は、ベースドア１３の後方に軸着されている。球払出ユニット５００には、遊技球を貯留するための球貯留タンク（図示せず）と、球通路ケース（図示せず）とから構成され、球貯留タンクに貯留されている遊技球を、上述した払出口２０ａ、２２ａへと導くこととなる。
【００４３】
上述した遊技盤１４の遊技領域１５には、各種の役物が設けられている。各種の役物の一例として図３を用いて以下に説明するが、これに限定されるものではない。
【００４４】
例えば、遊技盤１４の遊技領域１５内の中央上方には、特別図柄表示装置３３が設けられている。
【００４５】
また、特別図柄表示装置３３の右側方には、普通図柄の可変表示を行う普通図柄表示装置３５が設けられている。この普通図柄は、数字や記号等からなる情報であり、例えば“○”、“×”等の記号である。
【００４６】
また、遊技盤１４の上方には、特別図柄ゲームにおける保留個数を表示する特別図柄保留表示装置３４ａから３４ｄ（図４においては符号３４と表す）、普通図柄ゲームにおける保留個数を表示する普通図柄保留表示装置３７がそれぞれ設けられている。
【００４７】
また、遊技盤１４の遊技領域１５内の上方には、球通過検出器５４ａ及び５４ｂ（遊技盤１４の遊技領域１５における所定領域の一例）が設けられている。この球通過検出器５４ａ及び５４ｂは、その近傍を遊技球が通過したことを検出したときには、普通図柄表示装置３５における普通図柄（図示せず）の変動表示が開始され、所定の時間が経過した後、普通図柄の変動表示を停止する。この普通図柄は、数字や記号等からなる情報であり、例えば“○”、“×”等の記号である。この普通図柄が所定の図柄、例えば“○”として停止表示されたときには、後述する始動口４４の左右の両側に設けられている羽根部材（所謂、普通電動役物、以降、普通電役と称することがある）４８が閉鎖状態から開放状態となり、始動口４４に遊技球が入りやすくなるようになる。また、羽根部材４８を開放状態とした後、所定の時間が経過したときには、羽根部材４８を閉鎖状態として、始動口４４に遊技球が入りにくくなるようにする。尚、本実施形態における始動口４４、羽根部材４８は、遊技領域１５において、遊技球を受け入れ易い第一の状態と遊技球を受け入れ難い第二の状態とに変位可能な可変入賞装置の一例に相当する。
【００４８】
また、遊技盤１４の遊技領域１５内の下方には、遊技球の一般入賞口５６ａから５６ｄが設けられている。
【００４９】
また、遊技盤１４の遊技領域１５の下方には、大入賞口３９に対して開閉自在なシャッタ４０が設けられている。上述したように、導出表示された特別図柄が特定の表示態様である場合には、遊技状態が大当り遊技状態に移行され、このシャッタ４０が遊技球を受け入れやすい開放状態（第一の状態）となるように駆動される。また、この大入賞口には、Ｖ・カウントセンサ１０２（図４参照）を有する特定領域（図示せず）と、カウントセンサ１０４（図４参照）を有する一般領域（図示せず）とがあり、それらの領域を遊技球が所定個数（例えば１０個）通過するか、又は、所定時間（例えば３０秒）が経過するまでシャッタ４０が開放状態に駆動される。つまり、開放状態において大入賞口への所定数の遊技球の入賞又は所定時間の経過のいずれかの条件が成立すると、大入賞口を、遊技球を受け入れ難い閉鎖状態（第二の状態）にする。また、続いて、開放状態から閉鎖状態となったシャッタ４０は、開放状態において大入賞口に受け入れられた遊技球がＶ・カウントセンサ１０２を通過したことを条件に、再度開放状態に駆動される。つまり、大入賞口が開放状態のときに受け入れられた遊技球が、大入賞口内に設けられた特定領域を通過したことを条件に、閉鎖状態となった後に再度開放状態にする。
【００５０】
また、シャッタ４０の上方には、始動入賞球センサ１１６（図４参照）を有する始動口４４が設けられている。この始動口４４に遊技球が入賞した場合に、後述する特別図柄ゲームが開始され、特別図柄を変動表示する変動表示状態に移行する。所定の可変表示開始条件としては、本実施形態においては、始動口４４に遊技球が入賞したこと（始動領域を遊技球が通過したこと）を主な条件とする。つまり、所定の可変表示開始条件が成立したときに（始動領域を遊技球が通過したことを条件に）特別図柄の可変表示を行うこととなる。尚、実施形態においては、始動口４４に遊技球が入賞したこと等を所定の可変表示開始条件としたが、これに限らず、別の態様であってもよい。
【００５１】
また、特別図柄ゲームにおける特別図柄の可変表示中に遊技球が始動口４４へ入賞した場合には、可変表示中の特別図柄が導出表示されるまで、当該始動口４４への遊技球の入賞に基づく特別図柄の可変表示の実行（開始）が保留される、つまり、所定の可変表示実行条件が成立したが、所定の可変表示開始条件が成立していない場合（所定の可変表示保留条件が成立した場合）には、所定の可変表示開始条件が成立するまで、特別図柄の可変表示の実行（開始）が保留されることとなる。特別図柄の可変表示の実行が保留されている状態で、特別図柄が導出表示された場合には、保留されている特別図柄の可変表示の実行が開始される。また、特別図柄が導出表示された場合に実行される特別図柄の可変表示の実行は一回分である。例えば、特別図柄の可変表示の実行が三回分保留されている状態で、特別図柄が導出表示された場合には、保留されている特別図柄の可変表示のうち一回分が実行され、残りの二回分は保留される。
【００５２】
また、普通図柄ゲームにおいても同じように、普通図柄の変動表示中において球通過検出器５４ａ及び５４ｂの近傍を遊技球が通過した場合には、変動表示中の普通図柄が導出表示されるまで、当該球通過検出器５４ａ及び５４ｂへの遊技球の通過に基づく普通図柄の可変表示の実行（開始）が保留される。普通図柄の可変表示の実行が保留されている状態で、普通図柄が導出表示された場合には、所定時間経過後、保留されている普通図柄の可変表示が開始される。また、普通図柄が導出表示された場合に実行される普通図柄の可変表示の実行は一回分である。この保留された普通図柄の可変表示の実行回数（所謂、「普通図柄に関する保留個数」、「普通図柄ゲームにおける保留個数」）は、普通図柄保留表示装置３７によって表示される。また、普通図柄の可変表示の実行が保留される回数にも上限が設定されており、例えば、４回を上限として普通図柄の可変表示が保留される。このように普通図柄ゲームにおける識別情報の可変表示が保留された場合には、普通図柄保留表示装置３７は、その保留個数を表示することとなる。
【００５３】
尚、本実施形態においては、４回を上限として特別図柄の可変表示を保留するように構成したが、これに限らず、別の態様であってもよく、例えば、一回又は複数回を上限として、特別図柄の可変表示を保留するように構成してもよく、更には、上限を設定することなく保留するように構成してもよい。もちろん、特別図柄の可変表示を保留しないように構成してもよい。また、本実施形態においては、４回を上限として普通図柄の可変表示を保留するように構成したが、これに限らず、別の態様であってもよく、例えば、一回又は複数回を上限として、普通図柄の可変表示を保留するように構成してもよく、更には、上限を設定することなく保留するように構成してもよい。もちろん、普通図柄の可変表示を保留しないように構成してもよい。
【００５４】
［遊技機の電気的構成］
本実施形態におけるパチンコ遊技機１０の制御回路を示すブロック図を図４に示す。
【００５５】
パチンコ遊技機１０は、主に、遊技制御手段としての主制御回路６０と、演出制御手段としての副制御回路２００とから構成される。主制御回路６０は、遊技の制御を行うものである。副制御回路２００は、遊技の進行に応じた演出の制御を行うものである。
【００５６】
主制御回路６０は、図４に示すように、制御手段であるメインＣＰＵ６６、メインＲＯＭ（読み出し専用メモリ）６８、メインＲＡＭ（読み書き可能メモリ）７０を備えている。この主制御回路６０は、遊技の進行を制御する。
【００５７】
メインＣＰＵ６６には、メインＲＯＭ６８、メインＲＡＭ７０等が接続されており、このメインＲＯＭ６８に記憶されたプログラムに従って、各種の処理を実行する機能を有する。このように、このメインＣＰＵ６６は、後述する各種の手段として機能することとなる。
【００５８】
メインＲＯＭ６８には、メインＣＰＵ６６によりパチンコ遊技機１０の動作を制御するためのプログラムが記憶されており、その他には、乱数抽選によって大当り判定をする際に参照される大当り判定テーブルや、演出を選択する際に参照される演出条件選択テーブル等の各種のテーブルも記憶されている。具体的なプログラムについては後述する。
【００５９】
尚、本実施形態においては、プログラム、テーブル等を記憶する媒体としてメインＲＯＭ６８を用いるように構成したが、これに限らず、制御手段を備えたコンピュータにより読み取り可能な記憶媒体であれば別態様であってもよく、例えば、ハードディスク装置、ＣＤ−ＲＯＭ及びＤＶＤ−ＲＯＭ、ＲＯＭカートリッジ等の記憶媒体に記録されていてもよい。また、これらのプログラムは、予め記録されているものでなくとも、電源投入後にこれらのプログラムをダウンロードしてメインＲＡＭ７０等に記録されるものでもよい。更にまた、プログラムの各々が別々の記憶媒体に記録されていてもよい。また、本実施形態においてはメインＣＰＵ６６、メインＲＯＭ６８及びメインＲＡＭ７０を別々に設けたが、これらが一体となっているワンチップマイコンを使用してもよい。
【００６０】
メインＲＡＭ７０は、メインＣＰＵ６６の一時記憶領域として種々のフラグや変数の値を記憶する機能を有する。メインＲＡＭ７０に記憶されるデータの具体例としては、以下のようなものがある。
【００６１】
メインＲＡＭ７０には、制御状態フラグ、特定領域通過フラグ、高確率フラグ、大当り判定用乱数カウンタ、大当り図柄決定用乱数カウンタ、演出条件選択用乱数カウンタ、大入賞口開放回数カウンタ、大入賞口入賞カウンタ、普通図柄制御状態フラグ、普通図柄当り判定用乱数カウンタ、当りフラグ、普通電役入賞カウンタ、待ち時間タイマ、大入賞口開放時間タイマ、特別図柄ゲームにおける保留個数を示すデータ等が存在する出力に関する変数、後述する副制御回路２００にコマンドを供給するためのデータ、変数等が位置付けられている。
【００６２】
制御状態フラグは、特別図柄ゲームの制御状態を示すものである。特定領域通過フラグは、遊技球が特定領域を通過したか否かを判断するためのものである。高確率フラグは、大当り遊技状態に移行する確率を相対的に高めるか否かを示すものである。
【００６３】
大当り判定用乱数カウンタは、特別図柄の大当りを判定するためのものである。大当り図柄決定用乱数カウンタは、特別図柄の大当りを判定した場合に、導出表示される特別図柄を決定するためのものである。演出条件選択用乱数カウンタは、特別図柄及び装飾図柄の変動表示パターンを決定するためのものである。これらのカウンタは、メインＣＰＵ６６により順次“１”増加するように記憶更新されており、所定のタイミングで各カウンタから乱数値を抽出することにより、メインＣＰＵ６６の各種の機能を実行することとなる。尚、本実施形態においては、このような乱数カウンタを備え、プログラムに従って、メインＣＰＵ６６が、乱数カウンタを“１”増加させるように記憶更新する構成としたが、これに限らず、別個に、乱数発生器のような装置を備えるように構成してもよい。また、はずれではあるが、リーチとするか否かを判定するためのリーチ判定用乱数カウンタを設けてもよい。
【００６４】
普通図柄制御状態フラグは、普通図柄ゲームの制御状態を示すものである。普通図柄当り判定用乱数カウンタは、普通図柄ゲームにおける当りを判定するためのものである。当りフラグは、普通図柄ゲームの結果が当りであるか否かを判定するためのものである。普通電役入賞カウンタは、羽根部材４８が開放状態である間に始動口４４に入賞した遊技球の数をカウントするためのものである。
【００６５】
待ち時間タイマは、主制御回路６０と副制御回路２００とにおいて実行される処理の同期を取るためのものである。また、大入賞口開放時間タイマは、シャッタ４０を駆動させ、大入賞口３９を開放する時間を計測するためのものである。尚、本実施形態におけるタイマは、メインＲＡＭ７０において、所定の周期で、その所定の周期だけ減算されるように記憶更新されるが、これに限らず、ＣＰＵ等自体がタイマを備えていてもよい。
【００６６】
大入賞口開放回数カウンタは、大当り遊技状態における大入賞口３９の開放回数（所謂、「ラウンド数」）を示すものである。また、大入賞口入賞カウンタは、１ラウンド中に大入賞口３９に入賞し、Ｖ・カウントセンサ１０２又はカウントセンサ１０４を通過した遊技球の数を示すものである。更には、保留個数を示すデータは、始動口４４へ遊技球が入賞したが、特別図柄の可変表示が実行できないときに、当該可変表示を保留するが、その保留されている特別図柄の可変表示回数を示すものである。
【００６７】
尚、本実施形態においては、メインＣＰＵ６６の一時記憶領域としてメインＲＡＭ７０を用いているが、これに限らず、読み書き可能な記憶媒体であればよい。
【００６８】
また、この主制御回路６０は、所定の周波数のクロックパルスを生成するリセット用クロックパルス発生回路６２、電源投入時においてリセット信号を生成する初期リセット回路６４、後述する副制御回路２００に対してコマンドを供給するためのシリアル通信用ＩＣ７２を備えている。また、これらのリセット用クロックパルス発生回路６２、初期リセット回路６４、シリアル通信用ＩＣ７２は、メインＣＰＵ６６に接続されている。尚、このリセット用クロックパルス発生回路６２は、後述するシステムタイマ割込処理を実行するために、所定の周期（例えば２ミリ秒）毎にクロックパルスを発生する。尚、このシリアル通信用ＩＣ７２は、各種のコマンドを副制御回路２００（副制御回路２００に含まれる各種の手段）へ送信する送信手段に相当する。
【００６９】
また、主制御回路６０には、各種の装置が接続されており、例えば、図４に示すように、特別図柄表示装置３３、特別図柄保留表示装置３４、普通図柄表示装置３５、普通図柄保留表示装置３７、ゲーム操作部８８、Ｖ・カウントセンサ１０２、カウントセンサ１０４、一般入賞球センサ１０６、１０８、１１０、１１２、通過球センサ１１４、１１５、始動入賞球センサ１１６、普通電動役物ソレノイド１１８、大入賞口ソレノイド１２０、シーソーソレノイド１２２、バックアップクリアスイッチ１２４などが接続されている。
【００７０】
特別図柄表示装置３３は、主制御回路６０からの信号に応じて、特別図柄ゲームにおける特別図柄としての特別図柄の可変表示を行うものである。
【００７１】
特別図柄保留表示装置３４は、主制御回路６０からの信号に応じて、特別図柄ゲームにおける特別図柄の可変表示の保留個数を表示するものである。
【００７２】
普通図柄表示装置３５は、主制御回路６０からの信号に応じて、普通図柄ゲームにおける識別情報としての普通図柄の可変表示を行うものである。つまり、この普通図柄表示装置３５は、遊技領域１５における球通過検出器５４ａ及び５４ｂ（所定領域）を遊技球が通過したことを条件に普通図柄の可変表示を行うものである。尚、本実施形態における普通図柄表示装置３５は、可変表示手段の一例である。
【００７３】
普通図柄保留表示装置３７は、主制御回路６０からの信号に応じて、普通図柄ゲームにおける普通図柄の可変表示の保留個数を表示するものである。
【００７４】
ゲーム操作部８８は、遊技者によって操作可能な解除操作手段、遊技操作手段の一例である。
【００７５】
Ｖ・カウントセンサ１０２は、大入賞口３９における特定領域に設けられている。このＶ・カウントセンサ１０２は、大入賞口３９における特定領域を遊技球が通過した場合に、所定の検知信号を主制御回路６０に供給する。
【００７６】
カウントセンサ１０４は、大入賞口３９における特定領域とは異なる一般領域に設けられている。このカウントセンサ１０４は、大入賞口３９における一般領域を遊技球が通過した場合に、所定の検知信号を主制御回路６０に供給する。
【００７７】
一般入賞球センサ１０６、１０８、１１０、１１２は、一般入賞口５６ａ〜５６ｄに設けられている。この一般入賞球センサ１０６、１０８、１１０、１１２は、各一般入賞口５６ａ〜５６ｄを遊技球が通過した場合に、所定の検知信号を主制御回路６０に供給する。
【００７８】
通過球センサ１１４、１１５は、球通過検出器５４ａ及び５４ｂに設けられている。この通過球センサ１１４、１１５は、球通過検出器５４ａ及び５４ｂを遊技球が通過した場合に、所定の検知信号を主制御回路６０に供給する。
【００７９】
始動入賞球センサ１１６は、始動口４４に設けられている。この始動入賞球センサ１１６は、始動口４４を遊技球が入賞した場合に、所定の検知信号を主制御回路６０に供給する。
【００８０】
普通電動役物ソレノイド１１８は、リンク部材（図示せず）を介して羽根部材４８に接続されており、メインＣＰＵ６６から供給される駆動信号に応じて、羽根部材４８を開放状態又は閉鎖状態とする。
【００８１】
大入賞口ソレノイド１２０は、図１に示すシャッタ４０に接続されており、メインＣＰＵ６６から供給される駆動信号に応じて、シャッタ４０を駆動させ、大入賞口３９を開放状態又は閉鎖状態とする。
【００８２】
シーソーソレノイド１２２は、板形状でシャッタ４０内部に設けられているシーソーに接続されており、メインＣＰＵ６６から供給される駆動信号に応じて、シーソーを変位させ、そのシーソーの傾斜を変更する。このシーソーが傾斜された結果、遊技球が特定領域を通過しやすくなるように又は一般領域を通過しやすくなるように切り替えることとなる。
【００８３】
バックアップクリアスイッチ１２４は、パチンコ遊技機１０に内蔵されており、電断時等におけるバックアップデータを遊技場の管理者の操作に応じてクリアする機能を有する。
【００８４】
また、主制御回路６０には、払出・発射制御回路１２６が接続されている。この払出・発射制御回路１２６には、遊技球の払出を行う払出装置１２８、遊技球の発射を行う発射装置１３０、カードユニット１５０が接続されている。具体的には、払出・発射制御回路１２６には、その払出・発射制御回路１２６を制御するためのＣＰＵ（図示せず）と、ＣＰＵに処理を実行させるためのプログラムが記憶されているＲＯＭ（図示せず）と、ＣＰＵの作業領域であるＲＡＭ（図示せず）とが少なくとも備えられている。また、カードユニット１５０には、貸し出し用操作部８２が接続されており、その操作に応じて、カードユニット１５０に操作信号が供給される。
【００８５】
この払出・発射制御回路１２６は、主制御回路６０から供給される賞球制御コマンド、カードユニット１５０から供給される貸し球制御信号を受け取り、払出装置１２８に対して所定の信号を送信することにより、払出装置１２８に遊技球を払い出させる。また、払出・発射制御回路１２６は、発射装置１３０に対して発射信号を供給することにより、遊技球を発射させる制御を行う。尚、払出装置１２８は、発射（投入）された遊技媒体が所定の領域を通過することにより遊技媒体を払出す払出手段の一例として採用されている。また、払出・発射制御回路１２６は、払出手段の駆動制御を行う払出制御手段の一例として採用されている。
【００８６】
また、発射装置１３０には、上述した発射モータ、タッチセンサ等の遊技球を発射させるための装置が備えられている。発射ハンドル２６が遊技者によって握持され、かつ、時計回り方向へ回動操作されたときには、その回動角度に応じて発射モータに電力が供給され、上皿２０に貯留された遊技球が発射モータにより遊技盤１４に順次発射される。尚、このような発射装置１３０は、遊技者の操作に応じて遊技媒体を発射する発射手段の一例として採用されている。また、払出・発射制御回路１２６は、発射手段の駆動制御を行う発射制御手段の一例として採用されている。
【００８７】
更には、シリアル通信用ＩＣ７２には、副制御回路２００が接続されている。この副制御回路２００は、主制御回路６０から供給される各種のコマンドに応じて、液晶表示装置３２における表示制御、スピーカ４６（図１においては４６Ｌ及び４６Ｒ）から発生させる音声に関する制御、装飾ランプ（図示せず）などを含むランプ１３２の制御等を行う。
【００８８】
尚、本実施形態においては、主制御回路６０から副制御回路２００に対してコマンドを供給するとともに、副制御回路２００から主制御回路６０に対して信号を供給できないように構成したが、これに限らず、副制御回路２００から主制御回路６０に対して信号を送信できるように構成しても問題ない。
【００８９】
副制御回路２００は、サブＣＰＵ２０６、記憶手段としてのプログラムＲＯＭ２０８、ワークＲＡＭ２１０、液晶表示装置３２における表示制御を行うための表示制御回路２５０、スピーカ４６から発生させる音声に関する制御を行う音声制御回路２３０、装飾ランプなどを含むランプ１３２の制御を行うランプ制御回路２４０から構成されている。副制御回路２００は、主制御回路６０からの指令に応じて遊技の進行に応じた演出を実行する。また、副制御回路２００には、メニュー操作部８４などが接続されており、その操作（操作状態）に応じて操作信号が副制御回路２００に供給される。
【００９０】
サブＣＰＵ２０６には、プログラムＲＯＭ２０８、ワークＲＡＭ２１０等が接続されている。サブＣＰＵ２０６は、このプログラムＲＯＭ２０８に記憶されたプログラムに従って、各種の処理を実行する機能を有する。特に、サブＣＰＵ２０６は、主制御回路６０から供給される各種のコマンドに従って、副制御回路２００の制御を行う。サブＣＰＵ２０６は、後述する各種の手段として機能することとなる。
【００９１】
プログラムＲＯＭ２０８には、サブＣＰＵ２０６によりパチンコ遊技機１０の遊技演出を制御するためのプログラムが記憶されており、その他には、演出に関する決定を行うためのテーブル等の各種のテーブルも記憶されている。具体的なプログラムについては後述する。
【００９２】
また、プログラムＲＯＭ２０８には、演出パターンが複数種類記憶されている。この演出パターンは、演出表示の進行に関するものである。
【００９３】
尚、本実施形態においては、プログラム、テーブル等を記憶する記憶手段としてプログラムＲＯＭ２０８を用いるように構成したが、これに限らず、制御手段を備えたコンピュータにより読み取り可能な記憶媒体であれば別態様であってもよく、例えば、ハードディスク装置、ＣＤ−ＲＯＭ及びＤＶＤ−ＲＯＭ、ＲＯＭカートリッジ等の記憶媒体に記録されていてもよい。もちろん、記憶手段としてメインＲＯＭ６８を用いてもよい。また、これらのプログラムは、予め記録されているものでなくとも、電源投入後にこれらのプログラムをダウンロードし、ワークＲＡＭ２１０等に記録されるものでもよい。更にまた、プログラムの各々が別々の記憶媒体に記録されていてもよい。
【００９４】
また、本実施形態において、メインＣＰＵ６６及びメインＲＯＭ６８を含む主制御回路６０と、サブＣＰＵ２０６及びプログラムＲＯＭ２０８を含む副制御回路２００と、を別々に構成したが、これに限らず、メインＣＰＵ６６及びメインＲＯＭ６８を含む主制御回路６０のみで構成してもよく、この場合には、上述したプログラムＲＯＭ２０８に記憶されているプログラムをメインＲＯＭ６８に記憶させ、メインＣＰＵ６６により実行されるように構成してもよい。もちろん、サブＣＰＵ２０６及びプログラムＲＯＭ２０８を含む副制御回路２００のみで構成するようにしてもよく、この場合には、上述したメインＲＯＭ６８に記憶されているプログラムをプログラムＲＯＭ２０８に記憶させ、サブＣＰＵ２０６により実行されるように構成してもよい。
【００９５】
ワークＲＡＭ２１０は、サブＣＰＵ２０６の一時記憶領域として種々のフラグや変数の値を記憶する機能を有する。例えば、演出パターンを選択するための演出表示選択用乱数カウンタ等各種の変数等が位置付けられている。
【００９６】
尚、本実施形態においては、サブＣＰＵ２０６の一時記憶領域としてワークＲＡＭ２１０を用いているが、これに限らず、読み書き可能な記憶媒体であればよい。
【００９７】
表示制御回路２５０は、液晶表示装置３２の表示制御を行う回路であり、画像データプロセッサ（以下、ＶＤＰと称する。）、各種の画像データを生成するためのデータが記憶されている画像データＲＯＭ、画像データをバッファするフレームバッファ、画像データを画像信号として変換するＤ／Ａコンバータなどから構成されている。
【００９８】
表示制御回路２５０は、サブＣＰＵ２０６から供給されるデータに応じて、液晶表示装置３２に画像を表示させるための種々の処理を行うことができる装置である。
【００９９】
表示制御回路２５０は、サブＣＰＵ２０６から供給される画像表示命令に応じて、装飾図柄を示す装飾図柄画像データ、背景画像データ、演出用画像データ等、各種の画像データなど、液晶表示装置３２に表示させるための画像データを一時的にフレームバッファに格納する。そして、表示制御回路２５０は、所定のタイミングで、フレームバッファに格納された画像データをＤ／Ａコンバータに供給する。このＤ／Ａコンバータは、画像データを画像信号として変換し、所定のタイミングでこの画像信号を液晶表示装置３２に供給することにより、液晶表示装置３２に画像が表示される。つまり、表示制御回路２５０は、液晶表示装置３２に画像を表示させる制御を行うこととなる。
【０１００】
また、音声制御回路２３０は、音声に関する制御を行う音源ＩＣ、各種の音声データを記憶する音声データＲＯＭ、音声信号を増幅するための増幅器（以下、ＡＭＰと称する。）などから構成されている。
【０１０１】
この音源ＩＣは、スピーカ４６から発生させる音声の制御を行う。音源ＩＣは、サブＣＰＵ２０６から供給される音声発生命令に応じて、音声データＲＯＭに記憶されている複数の音声データから一つの音声データを選択する。また、音源ＩＣは、選択された音声データを音声データＲＯＭから読み出し、音声データを所定の音声信号に変換し、その音声信号をＡＭＰに供給する。ＡＭＰは、音声信号を増幅させ、スピーカ４６から音声を発生させる。
【０１０２】
ランプ制御回路２４０は、ランプ制御信号を供給するためのドライブ回路、複数種類のランプ装飾パターンが記憶されている装飾データＲＯＭなどから構成されている。
【０１０３】
［表示画面の説明］
また、上述した構成において液晶表示装置３２において実行される特別図柄ゲーム、普通図柄ゲームに関する表示画面について図５及び図６を用いて説明する。
【０１０４】
［特別図柄ゲームの説明］
特別図柄表示装置３３においては、図３に示すように、特別図柄が可変表示される。具体的には、特別図柄の導出表示がされている場合において、所定の可変表示開始条件が成立したときには、特別図柄の可変表示が実行される。そして、停止表示され、その導出表示された特別図柄が、非特定の表示態様（例えば、“０”から“９”などにならない態様、“−”）となったことを条件に、大当り遊技状態に移行せず、通常遊技状態等、現在の遊技状態が維持され、特定の表示態様（例えば、“０”から“９”など）となったことを条件に、遊技状態が大当り遊技状態に移行されることとなる。
【０１０５】
また、液晶表示装置３２における表示領域３２ａ上では、特別図柄表示装置３３における特別図柄を装飾するための複数列の装飾図柄の可変表示が行われる。具体的には、特別図柄が導出表示されている場合には、図５（Ａ）に示すように、装飾図柄も導出表示されている。そして、上述した所定の可変表示開始条件が成立したときには、特別図柄と同じように、図５（Ｂ）に示すように、装飾図柄の可変表示も実行される。そして、特別図柄が導出表示され前に、図５（Ｃ）に示すように、左列に装飾図柄が停止表示され、その後、右列に装飾図柄が停止表示される。そして、特別図柄が導出表示されるタイミングで、中列の装飾図柄が停止表示され、装飾図柄が導出表示されることとなる。
【０１０６】
また、導出表示される装飾図柄は、導出表示される特別図柄と関連性を有する。具体的には、特別図柄が“−”である場合には、装飾図柄は、非特定の表示態様（例えば、同一図柄が３個揃わない態様）となり、特別図柄が“０”から“９”である場合には、装飾図柄は、特定の表示態様（例えば、同一図柄が３個揃った態様）となる。つまり、全ての列が停止表示され、その導出表示された複数列の装飾図柄が、図５（Ｄ）に示すように、非特定の表示態様（例えば、同一図柄が３個揃わない態様）となると、特別図柄が“−”として導出表示され、通常遊技状態等、現在の遊技状態が維持される。一方、複数列の装飾図柄が、図５（Ｅ）に示すように、特定の表示態様（例えば、同一図柄が３個揃った態様）となると、特別図柄が“０”から“９”として導出表示され、遊技状態が大当り遊技状態に移行されることとなる。
【０１０７】
［普通図柄ゲームの説明］
普通図柄表示装置３５においては、図３に示すように、識別情報としての普通図柄が可変表示される。具体的には、普通図柄の導出表示がされている場合において、所定の普通図柄可変表示開始条件（例えば、球通過検出器５４ａ及び５４ｂへの遊技球の通過など）が成立したときには、普通図柄の可変表示が実行される。そして、停止表示され、その導出表示された普通図柄が、非特定の表示態様（例えば、“×”）となったことを条件に、普通図柄ゲームにおけるはずれとなり、特定の表示態様（例えば、“○”など）となったことを条件に、普通図柄ゲームにおける当りとなる。
【０１０８】
普通図柄ゲームにおいて当りとなった場合には、羽根部材４８が開放される、又は、当りとなったことが保留（保持）される。尚、ここでいう羽根部材４８の開放は、１回分の当りゲームに相当する。また、詳しくは後述するが、羽根部材４８が開放されるか、当りとなったことが保留されるかの選択は、ゲーム操作部８８の操作に応じて決定される。このように当りとなったことが保留された場合には、普通図柄ゲームにおける当りゲーム保留個数が表示態様情報としてメモリ上に記憶（保持）され、図６（Ａ）に示すように、液晶表示装置３２において、当りゲーム保留個数が報知画像（例えば、星画像など）として表示される。また、当りが保留される旨の有効画像が報知画像として表示されている。尚、当りが保留されない設定の場合には、図５に示すように無効画像が表示されている。
【０１０９】
また、このように当りゲーム保留個数が所定数（例えば、３個など）となった場合には、図６（Ｂ）に示すように、液晶表示装置３２において、普通図柄ゲームにおける当りゲーム保留個数が所定数となった旨の報知画像（例えば、星画像など）が表示される。また、この場合においては、ゲーム操作部８８の操作によって、保留されていた当りゲーム保留個数に対応する当りゲームがまとめて実行される旨の操作促進画像が報知画像として表示される。
【０１１０】
そして、そのタイミング（期間）において、ゲーム操作部８８の操作が行われた場合には、図６（Ｃ）に示すように、保留されていた当りゲーム保留個数（例えば、３個など）に対応する当りゲームがまとめて実行される。これによって、例えば、羽根部材４８が０．２秒だけ１回開放することが１回の当りゲームである場合には、４回分のゲーム保留個数に対応する当りゲーム、即ち、羽根部材４８が０．２秒だけ４回開放することが実行される。
【０１１１】
このように、識別情報の可変表示の結果が所定の表示態様となったことを条件に、その所定の表示態様となったことに関する表示態様情報を保持する。そして、保持された表示態様情報が複数となったことを条件に、その表示態様情報のうち複数の表示態様情報に対応する態様で可変入賞装置を、遊技球を受け入れ易い第一の状態に制御する。このため、第一の状態に制御するタイミングを集中させることによって、遊技者によって意図して可変入賞装置に遊技球を入賞させ易くなる。従って、このような機会を提供することによって、識別情報に対する期待感を高揚させることによって、遊技に対する興趣の向上を図ることができる。もちろん、第一の状態となる時間が短時間であっても長時間であっても、第一の状態となる時間がより長くなる。
【０１１２】
また、遊技者によって操作可能な解除操作手段の操作に応じて、複数の表示態様情報に対応する態様で、可変入賞装置を第一の状態に制御する。このため、遊技者の意図するタイミングで可変入賞装置を第一の状態に制御することができ、より一層、識別情報に対する期待感を高揚させることによって、遊技に対する興趣の向上を図ることができる。
【０１１３】
また、遊技者によって操作可能な遊技操作手段の操作に応じて、識別情報の可変表示の結果が所定の表示態様となった場合に、表示態様情報を保持させるか否かを決定する。このため、遊技者の所望とする遊技態様で遊技を行うことができる。
【０１１４】
尚、本実施形態においては、複数のゲーム保留個数に対応する当りゲームとして、その複数のゲーム保留個数に対応する回数だけ羽根部材４８を開放させ、閉鎖させた（例えば、０．２秒×４回など）が、これに限らず、例えば、一度に、その複数のゲーム保留個数に対応する時間だけ羽根部材４８を開放させてもよい（例えば、０．８秒など）。また、例えば、複数のゲーム保留個数に対応する態様であれば、純粋に対応する分だけ増加するだけでなく、保留した個数が多ければ多いほど更に有利になるようにしてもよい（例えば、１個保留で、０．２秒×１回、２個保留で、０．２秒×２回、３個保留で、０．４秒×３回、４個保留で、０．６秒×４回など）。
【０１１５】
また、本実施形態においては、液晶表示装置３２において、当りゲーム保留個数、有効画像、当りゲーム保留個数が所定数となった旨の画像、操作促進画像、当りゲーム保留個数に対応する当りゲームが実行される旨の画像などを、報知画像として報知したが、これに限らず、例えば、画像のみならず、音声、ランプの発光などによって、報知を行ってもよい。つまり、保持されている表示態様情報に関する報知を行う。
【０１１６】
このように、保持されている表示態様情報に関する報知を行う。このため、保持されている表示態様情報の数や、第一の状態に移行させる時間など、表示態様情報を遊技者に認識させる機会を提供することにより、より一層、識別情報に対する期待感を高揚させることによって、遊技に対する興趣の向上を図ることができる。
【０１１７】
［遊技機の動作］
以下に、パチンコ遊技機１０で実行される処理を図７から図１０、図１２から図２５に示す。また、パチンコ遊技機１０で実行される特別図柄制御処理（図１０）の状態遷移について図１１を用いて説明する。
【０１１８】
［メイン処理］
最初に、図７に示すように、ＲＡＭアクセス許可、バックアップ復帰処理、作業領域を初期化等の初期設定処理を実行する（ステップＳ１１）。そして、詳しくは図９を用いて後述するが、特別図柄ゲームの進行、液晶表示装置３２、特別図柄表示装置３３に表示される特別図柄、装飾図柄に関する特別図柄制御処理を実行する（ステップＳ１５）。そして、詳しくは、図１０を用いて後述するが、普通図柄ゲームの進行、普通図柄表示装置３５に表示される普通図柄に関する普通図柄制御処理を実行する（ステップＳ１６）。このように、メイン処理においては、ステップＳ１１の初期設定処理が終了した後、ステップＳ１５及びステップＳ１６の処理を繰り返し実行することとなる。
【０１１９】
［システムタイマ割込処理］
また、メインＣＰＵ６６は、メイン処理を実行している状態であっても、メイン処理を中断させ、システムタイマ割込処理を実行する場合がある。リセット用クロックパルス発生回路６２から所定の周期（例えば２ミリ秒）毎に発生されるクロックパルスに応じて、以下のシステムタイマ割込処理を実行する。このシステムタイマ割込処理について図８を用いて説明する。
【０１２０】
最初に、図８に示すように、メインＣＰＵ６６は、大当り判定用乱数カウンタ、大当り図柄決定用乱数カウンタ等の各カウント値を“１”増加するように乱数更新処理を実行する（ステップＳ４２）。そして、メインＣＰＵ６６は、始動口４４等への遊技球の入賞又は通過を検知する入力検出処理を実行する（ステップＳ４３）。この処理においては、メインＣＰＵ６６は、各種の入賞口に遊技球が入賞したことを条件として、遊技球を払出す（賞球する）旨のデータをメインＲＡＭ７０の所定領域に記憶することとなる。そして、主制御回路６０と副制御回路２００との同期をとるための待ち時間タイマ、大当りが発生した際に開放する大入賞口３９の開放時間を計測するための大入賞口開放時間タイマ等、各種のタイマの更新処理を実行する（ステップＳ４４）。そして、各種の変数に基づいて駆動制御するための信号をソレノイド、モータ等に供給するために、出力処理を実行する（ステップＳ４６）。この処理が終了した場合には、ステップＳ４７に処理を移す。
【０１２１】
ステップＳ４７においては、コマンド出力処理を実行する。この処理において、メインＣＰＵ６６は、各種のコマンドを副制御回路２００に供給する。これらの各種のコマンドとしては、具体的には、デモ表示コマンド、導出表示される特別図柄の種類を示す導出図柄指定コマンド、特別図柄の変動表示パターンを示す変動パターン指定コマンド等が含まれる。この処理が終了した場合には、ステップＳ４９に処理を移す。
【０１２２】
そして、ステップＳ４９の処理において、メインＣＰＵ６６は、払出装置１２８に賞球を行わせるための賞球制御コマンドを払出・発射制御回路１２６へ送信する等の払出処理を実行する。具体的には、メインＣＰＵ６６は、各種の入賞口に遊技球が入賞することで予め設定された所定数の賞球払出を行うための賞球制御コマンドを払出・発射制御回路１２６へ供給する。この処理が終了した場合には、ステップＳ５０に処理を移す。
【０１２３】
ステップＳ５０の処理において、メインＣＰＵ６６は、スイッチ入力処理を実行する。詳しくは図９を用いて後述するが、各種の操作スイッチの操作に応じた処理を実行する。この処理が終了した場合には、本サブルーチンを終了し、割込発生前のアドレスへ復帰し、メイン処理を実行させる。
【０１２４】
［スイッチ入力処理］
図８のステップＳ５０において実行されるサブルーチンについて図９を用いて説明する。
【０１２５】
最初に、図９に示すように、メインＣＰＵ６６は、第一の操作有効条件が成立したか否かを判断する（ステップＳ３０１）。この第一の操作有効条件の具体的な一例としては、当り保留個数が“０”であることを主な条件とする。メインＣＰＵ６６は、第一の操作有効条件が成立したと判別した場合には、ステップＳ３０２に処理を移す。一方、メインＣＰＵ６６は、第一の操作有効条件が成立していないと判別した場合には、ステップＳ３０４に処理を移す。
【０１２６】
ステップＳ３０２において、設定変更操作があったか否かを判断する。この処理において、メインＣＰＵ６６は、ゲーム操作部８８による所定の操作（ゲーム操作部８８からの所定の操作信号）に応じて、設定変更操作があったか否かを判断する。メインＣＰＵ６６は、設定変更操作があったと判別した場合には、メインＲＡＭ７０の所定領域に位置付けられた保留状態フラグを変更し（ステップＳ３０３）、ステップＳ３０４に処理を移す。一方、メインＣＰＵ６６は、設定変更操作がなかったと判別した場合には、ステップＳ３０３を実行することなく、ステップＳ３０４に処理を移す。
【０１２７】
このように、設定変更することによって、後述するステップＳ５４１における判断が行われるため、ゲーム操作部８８の操作に応じて、普通図柄ゲームにおいて当りとなった場合に、当りゲーム保留個数（表示態様情報）として当りゲームを保留させるか否かが決定されることとなる。
【０１２８】
尚、ステップＳ３０３においては、メインＣＰＵ６６は、保留状態フラグが変更された旨の保留状態フラグ変更コマンドを示すデータ、メインＲＡＭ７０の所定領域にセットする。このように記憶された保留状態フラグ変更コマンドを示すデータは、図８のステップＳ４７の処理により、主制御回路６０のメインＣＰＵ６６から副制御回路２００のサブＣＰＵ２０６に保留状態フラグ変更コマンドとして供給される。これによって、副制御回路２００において、保留状態フラグが認識可能となり、図５及び図６に示すように、液晶表示装置３２に、報知画像が表示されることによって、当りの保留機能が有効であるか無効であるか報知される。
【０１２９】
ステップＳ３０４において、メインＣＰＵ６６は、第二の操作有効条件が成立したか否かを判断する（ステップＳ３０１）。この第二の操作有効条件の具体的な一例としては、例えば、当り保留個数が所定個数（複数個数、例えば、３個など）未満でないことを主な条件としている。メインＣＰＵ６６は、第二の操作有効条件が成立したと判別した場合には、ステップＳ３０５に処理を移す。一方、メインＣＰＵ６６は、第二の操作有効条件が成立していないと判別した場合には、本サブルーチンを終了する。
【０１３０】
ステップＳ３０５において、保留放出操作があったか否かを判断する。この処理において、メインＣＰＵ６６は、ゲーム操作部８８による所定の操作（ゲーム操作部８８からの所定の操作信号）に応じて、保留放出操作があったか否かを判断する。メインＣＰＵ６６は、保留放出操作があったと判別した場合には、メインＲＡＭ７０の所定領域に位置付けられた保留放出フラグをオンとして（ステップＳ３０６）、本サブルーチンを終了する。一方、メインＣＰＵ６６は、設定変更操作がなかったと判別した場合には、ステップＳ３０６を実行することなく、本サブルーチンを終了する。
【０１３１】
このように、設定変更することによって、後述するステップＳ５４４における判断が行われるため、ゲーム操作部８８の操作に応じて、普通図柄ゲームにおいて保持されている当りゲーム保留個数（表示態様情報）のうち、複数の当りゲーム保留個数（表示態様情報）に対応する態様で、羽根部材４８が第一の状態に制御されることとなる。
【０１３２】
尚、ステップＳ３０６においては、メインＣＰＵ６６は、保留放出操作が行われた旨の保留放出操作コマンドを示すデータを、メインＲＡＭ７０の所定領域にセットする。このように記憶された保留放出操作コマンドを示すデータは、図８のステップＳ４７の処理により、主制御回路６０のメインＣＰＵ６６から副制御回路２００のサブＣＰＵ２０６に保留放出操作コマンドとして供給される。これによって、副制御回路２００において、保留放出操作が行われたことが認識可能となり、液晶表示装置３２に、保留放出操作が行われた旨の報知画像が表示される。
【０１３３】
［特別図柄制御処理］
図７のステップＳ１５において実行されるサブルーチンについて図１０を用いて説明する。尚、図１０において、ステップＳ７２からステップＳ８０の側方に描いた数値は、それらのステップに対応する制御状態フラグを示し、その制御状態フラグの数値に応じて、その数値に対応する一つのステップが実行され、特別図柄ゲームが進行することとなる。
【０１３４】
最初に、図１０に示すように、制御状態フラグをロードする処理を実行する（ステップＳ７１）。この処理において、メインＣＰＵ６６は、制御状態フラグを読み出す。この処理が終了した場合には、ステップＳ７２に処理を移す。
【０１３５】
尚、後述するステップＳ７２からステップＳ８０において、メインＣＰＵ６６は、後述するように、制御状態フラグの値に基づいて、各ステップにおける各種の処理を実行するか否かを判断することとなる。この制御状態フラグは、特別図柄ゲームの遊技の状態を示すものであり、ステップＳ７２からステップＳ８０における処理のいずれかを実行可能にするものである。また、それに加えて、メインＣＰＵ６６は、各ステップに対して設定された待ち時間タイマ等に応じて決定される所定のタイミングで各ステップにおける処理を実行する。尚、この所定のタイミングに至る前においては、各ステップにおける処理を実行することなく終了することとなり、他のサブルーチンを実行することとなる。もちろん、所定の周期でシステムタイマ割込処理も実行する。
【０１３６】
ステップＳ７２においては、特別図柄記憶チェック処理を実行する。詳しくは図１２を用いて後述するが、メインＣＰＵ６６は、制御状態フラグが特別図柄記憶チェックを示す値（００）である場合に、保留個数のチェックを行い、保留個数がある場合に、大当り判定、導出特別図柄、特別図柄の変動パターン等の決定を行う。また、メインＣＰＵ６６は、特別図柄変動時間管理を示す値（０１）を制御状態フラグにセットし、今回の処理で決定された変動パターンに対応する変動時間を待ち時間タイマにセットする。つまり、今回決定された変動パターンに対応する変動時間を経過した後、ステップＳ７３の処理を実行するように設定するのである。一方、保留個数がない場合には、デモ画面を表示するためのデモ表示処理を行う。この処理が終了した場合には、ステップＳ７３に処理を移す。
【０１３７】
ステップＳ７３においては、特別図柄変動時間管理処理を実行する。この処理においては、メインＣＰＵ６６は、制御状態フラグが特別図柄変動時間管理を示す値（０１）であり、変動時間が経過した場合に、特別図柄表示時間管理を示す値（０２）を制御状態フラグにセットし、確定後待ち時間（例えば１秒）を待ち時間タイマにセットする。つまり、確定後待ち時間が経過した後、ステップＳ７４の処理を実行するように設定するのである。この処理が終了した場合には、ステップＳ７４に処理を移す。
【０１３８】
ステップＳ７４においては、特別図柄表示時間管理処理を実行する。この処理において、メインＣＰＵ６６は、制御状態フラグが特別図柄表示時間管理を示す値（０２）であり、確定後待ち時間が経過した場合に、大当りか否かを判断する。メインＣＰＵ６６は、大当りである場合に、大当り開始インターバル管理を示す値（０３）を制御状態フラグにセットし、大当り開始インターバルに対応する時間（例えば１０秒）を待ち時間タイマにセットする。つまり、大当り開始インターバルに対応する時間が経過した後、ステップＳ７５の処理を実行するように設定するのである。一方、メインＣＰＵ６６は、大当りではない場合に、特別図柄ゲーム終了を示す値（０８）をセットする。つまり、ステップＳ８０の処理を実行するように設定するのである。この処理が終了した場合には、ステップＳ７５に処理を移す。
【０１３９】
ステップＳ７５においては、大当り開始インターバル管理処理を実行する。この処理において、メインＣＰＵ６６は、制御状態フラグが大当り開始インターバル管理を示す値（０３）であり、その大当り開始インターバルに対応する時間が経過した場合に、大入賞口３９を開放させるために、メインＲＯＭ６８から読み出されたデータに基づいて、メインＲＡＭ７０に位置付けられた変数を更新する。メインＣＰＵ６６は、大入賞口開放中を示す値（０４）を制御状態フラグにセットするとともに、開放上限時間（例えば３０秒）を大入賞口開放時間タイマにセットする。つまり、ステップＳ７７の処理を実行するように設定するのである。この処理が終了した場合には、ステップＳ７６に処理を移す。
【０１４０】
ステップＳ７６においては、大入賞口再開放前待ち時間管理処理を実行する。この処理において、メインＣＰＵ６６は、制御状態フラグが大入賞口再開放待ち時間管理を示す値（０６）であり、ラウンド間インターバルに対応する時間が経過した場合に、大入賞口開放回数カウンタを“１”増加するように記憶更新する。メインＣＰＵ６６は、大入賞口開放中を示す値（０４）を制御状態フラグにセットする。メインＣＰＵ６６は、開放上限時間（例えば３０秒）を大入賞口開放時間タイマにセットする。つまり、ステップＳ７７の処理を実行するように設定するのである。この処理が終了した場合には、ステップＳ７７に処理を移す。
【０１４１】
ステップＳ７７においては、大入賞口開放中処理を実行する。この処理において、メインＣＰＵ６６は、制御状態フラグが大入賞口開放中を示す値（０４）である場合に、大入賞口入賞カウンタが“１０”以上であるという条件、開放上限時間を経過した（大入賞口開放時間タイマが“０”である）という条件のいずれかを満たす（所定の閉鎖条件が成立した）か否かを判断する。メインＣＰＵ６６は、いずれかの条件を満たした場合に、大入賞口３９を閉鎖させるために、メインＲＡＭ７０に位置付けられた変数を更新する。メインＣＰＵ６６は、大入賞口内残留球監視を示す値（０５）を制御状態フラグにセットする。メインＣＰＵ６６は、大入賞口内残留球監視時間（例えば１秒）を待ち時間タイマにセットする。つまり、大入賞口内残留球監視時間が経過した後、ステップＳ７８の処理を実行するように設定するのである。尚、メインＣＰＵ６６は、いずれの条件も満たさない場合には、上述した処理を実行しない。この処理が終了した場合には、ステップＳ７８に処理を移す。
【０１４２】
ステップＳ７８においては、大入賞口内残留球監視処理を実行する。この処理において、メインＣＰＵ６６は、制御状態フラグが大入賞口内残留球監視を示す値（０５）であり、大入賞口内残留球監視時間が経過した場合に、大入賞口３９における特定領域を遊技球が通過しなかったという条件、大入賞口開放回数カウンタが大入賞口開放回数最大値以上である（最終ラウンドである）という条件のいずれかを満たすか否かを判断する。メインＣＰＵ６６は、いずれかの条件を満たした場合に、大当り終了インターバルを示す値（０７）を制御状態フラグにセットし、大当り終了インターバルに対応する時間を待ち時間タイマにセットする。つまり、大当り終了インターバルに対応する時間が経過した後、ステップＳ７９の処理を実行するように設定するのである。一方、メインＣＰＵ６６は、いずれの条件も満たさない場合に、大入賞口再開放待ち時間管理を示す値（０６）を制御状態フラグにセットする。また、メインＣＰＵ６６は、ラウンド間インターバルに対応する時間を待ち時間タイマにセットする。つまり、ラウンド間インターバルに対応する時間が経過した後、ステップＳ７６の処理を実行するように設定するのである。この処理が終了した場合には、ステップＳ７９に処理を移す。
【０１４３】
ステップＳ７９においては、大当り終了インターバル処理を実行する。この処理において、メインＣＰＵ６６は、制御状態フラグが大当り終了インターバルを示す値（０７）であり、大当り終了インターバルに対応する時間が経過した場合に、特別図柄ゲーム終了を示す値（０８）を制御状態フラグにセットする。つまり、ステップＳ８０の処理を実行するように設定するのである。そして、メインＣＰＵ６６は、大当り図柄が確変図柄である場合には、確変状態に移行させる制御を行うとともに、大当り図柄が非確変図柄である場合には、通常遊技状態に移行させる制御を行うこととなる。この処理が終了した場合には、ステップＳ８０に処理を移す。
【０１４４】
ステップＳ８０においては、特別図柄ゲーム終了処理を実行する。この処理において、メインＣＰＵ６６は、制御状態フラグが特別図柄ゲーム終了を示す値（０８）である場合に、保留個数を示すデータ（始動記憶情報）を“１”減少するように記憶更新する。そして、メインＣＰＵ６６は、次回の変動表示を行うために、特別図柄記憶領域の更新を行う。メインＣＰＵ６６は、特別図柄記憶チェックを示す値（００）をセットする。つまり、ステップＳ７２の処理を実行するように設定するのである。この処理が終了した場合には、本サブルーチンを終了する。
【０１４５】
上述したように、制御状態フラグをセットすることにより、特別図柄ゲームが実行されることとなる。具体的には、メインＣＰＵ６６は、図１１に示すように、大当り遊技状態ではない場合において、大当り判定の結果がハズレであるときには、制御状態フラグを“００”、“０１”、“０２”、“０８”と順にセットすることにより、図１０に示すステップＳ７２、ステップＳ７３、ステップＳ７４、ステップＳ８０の処理を所定のタイミングで実行することとなる。また、メインＣＰＵ６６は、大当り遊技状態ではない場合において、大当り判定の結果が大当りであるときには、制御状態フラグを“００”、“０１”、“０２”、“０３”と順にセットすることにより、図１０に示すステップＳ７２、ステップＳ７３、ステップＳ７４、ステップＳ７５の処理を所定のタイミングで実行し、大当り遊技状態への制御を実行することとなる。更には、メインＣＰＵ６６は、大当り遊技状態への制御が実行された場合には、制御状態フラグを“０４”、“０５”、“０６”と順にセットすることにより、図１０に示すステップＳ７７、ステップＳ７８、ステップＳ７６の処理を所定のタイミングで実行し、特定遊技を実行することとなる。尚、特定遊技が実行されている場合において、大当り遊技状態の終了条件（特定遊技終了条件）が成立した場合には、“０４”、“０５”、“０７”、“０８”と順にセットすることにより、図１０に示すステップＳ７７からステップＳ８０の処理を所定のタイミングで実行し、大当り遊技状態を終了することとなる。尚、この特定遊技終了条件には、所定の時間が経過するまでに特定領域への遊技球の通過がなかったこと（所謂「パンク」）、又は、大当りラウンド最大継続数（上限ラウンド数、例えば、本実施形態においては２又は１５ラウンド）が終了したことを条件として大当り遊技状態を終了することとなる。
【０１４６】
［特別図柄記憶チェック処理］
図１０のステップＳ７２において実行されるサブルーチンについて図１２を用いて説明する。
【０１４７】
最初に、図１２に示すように、制御状態フラグが特別図柄記憶チェックを示す値（００）であるか否かの判断を行い（ステップＳ１０１）、制御状態フラグが特別図柄記憶チェックを示す値であると判別した場合には、ステップＳ１０２に処理を移し、制御状態フラグが特別図柄記憶チェックを示す値であるとは判別しなかった場合には、本サブルーチンを終了する。そして、ステップＳ１０２においては、保留個数が“０”であるか否かの判断を行い、保留個数を示すデータが“０”であると判別した場合には、ステップＳ１０３に処理を移し、保留個数を示すデータが“０”であるとは判別しなかった場合には、ステップＳ１０４に処理を移す。
【０１４８】
ステップＳ１０３においては、デモ表示処理を実行する。この処理において、メインＣＰＵ６６は、デモ表示を行わせるために副制御回路２００にデモ表示コマンドを供給するための変数をメインＲＡＭ７０に記憶する。これによって、副制御回路２００において、客待ち状態（所定の待機状態）となったことを認識することができる。この処理が終了した場合には、本サブルーチンを終了する。
【０１４９】
ステップＳ１０４においては、制御状態フラグとして特別図柄変動時間管理を示す値（０１）をセットする処理を実行する。この処理において、メインＣＰＵ６６は、特別図柄変動時間管理を示す値を制御状態フラグに記憶する。この処理が終了した場合には、ステップＳ１０５に処理を移す。
【０１５０】
ステップＳ１０５においては、大当り判断処理を実行する。この処理において、メインＣＰＵ６６は、高確率フラグを読み出し、読み出した高確率フラグに基づいて、大当りの判定値（大当り判定値）の数が異なる複数の大当り判定テーブルから１つの大当り判定テーブルを選択する。例えば、通常時における大当り判定テーブルでは、２個の大当り判定値が設定されているが、高確率時における大当り判定テーブルでは、１０個の大当り判定値が設定されており、高確率フラグに基づいて大当り判定テーブルを選択することによって、大当り遊技状態に移行する確率が異なることとなる。このように、高確率フラグが所定の値（例えば“７７”）である場合、つまり遊技状態が確変状態である場合には、大当り遊技状態に移行する確率（特別図柄の可変表示の結果を特定の表示態様とする確率）は、通常時よりも向上することとなるのである。そして、メインＣＰＵ６６は、始動入賞時に抽出された大当り判定用乱数値と、選択された大当り判定テーブルとを参照する。つまり、メインＣＰＵ６６は、遊技者に有利な大当り遊技状態とするか否かの判定を行うこととなる。言い換えると、メインＣＰＵ６６は、所定の大当り移行条件が成立したか否かを判定することとなる。この処理が終了した場合には、ステップＳ１０６に処理を移す。
【０１５１】
ステップＳ１０６においては、大当りであるか否かの判断を行う。この処理において、メインＣＰＵ６６は、ステップＳ１０５の参照の結果に基づいて、大当りであるか否かを判断することとなる。メインＣＰＵ６６は、大当りであると判別した場合には、ステップＳ１０７に処理を移し、大当りであるとは判別しなかった場合には、ステップＳ１０８に処理を移す。
【０１５２】
ステップＳ１０７においては、大当り図柄の決定処理を実行する。この処理において、メインＣＰＵ６６は、始動入賞時に抽出された大当り図柄用乱数値を抽出し、その大当り図柄用乱数値に基づいて、特別図柄を決定し、その特別図柄を示すデータをメインＲＡＭ７０の所定領域に記憶する。特に、メインＣＰＵ６６は、特別図柄を特別の表示態様（大当り図柄が確変図柄となる表示態様）として決定する場合には、上述したステップＳ７９において確変状態に移行させる制御を行うこととなる。このように記憶された特別図柄を示すデータは、特別図柄表示装置３３に供給される。これによって、特別図柄表示装置３３に、特別図柄が導出表示されることとなる。また、このように記憶された特別図柄を示すデータは、図８のステップＳ４７の処理により、主制御回路６０のメインＣＰＵ６６から副制御回路２００のサブＣＰＵ２０６に導出図柄指定コマンドとして供給される。これによって、副制御回路２００において、特別図柄に対応する装飾図柄が液晶表示装置３２に導出表示されることとなる。この処理が終了した場合には、ステップＳ１０９に処理を移す。
【０１５３】
ステップＳ１０８においては、はずれ図柄の決定処理を実行する。この処理において、メインＣＰＵ６６は、はずれ図柄を、特別図柄に決定し、その特別図柄を示すデータをメインＲＡＭ７０の所定領域に記憶する。このように記憶された特別図柄を示すデータは、特別図柄表示装置３３に供給される。これによって、特別図柄表示装置３３に、特別図柄が導出表示されることとなる。また、このように記憶された特別図柄を示すデータは、図８のステップＳ４７の処理により、主制御回路６０のメインＣＰＵ６６から副制御回路２００のサブＣＰＵ２０６に導出図柄指定コマンドとして供給される。これによって、副制御回路２００において、特別図柄に対応する装飾図柄が液晶表示装置３２に導出表示されることとなる。この処理が終了した場合には、ステップＳ１０９に処理を移す。
【０１５４】
ステップＳ１０９においては、変動パターン決定処理を実行する。この処理において、メインＣＰＵ６６は、演出条件選択用乱数値を抽出する。メインＣＰＵ６６は、ステップＳ１０７及びステップＳ１０８により決定された特別図柄に基づいて、変動パターンを決定するための変動パターン振分テーブルを選択する。そして、メインＣＰＵ６６は、演出条件選択用乱数カウンタから抽出した演出条件選択用乱数値と選択した変動パターン振分テーブルとに基づいて、変動パターンを決定し、メインＲＡＭ７０の所定領域に記憶する。メインＣＰＵ６６は、このような変動パターンを示すデータに基づいて、特別図柄の変動表示態様（特に、変動表示時間）を決定することとなる。このように記憶された変動パターンを示すデータは、特別図柄表示装置３３に供給される。これによって、特別図柄表示装置３３に、特別図柄が決定した変動パターンで変動表示することとなる。また、このように記憶された変動パターンを示すデータは、図８のステップＳ４７の処理により、主制御回路６０のメインＣＰＵ６６から副制御回路２００のサブＣＰＵ２０６に変動パターン指定コマンドとして供給される。副制御回路２００のサブＣＰＵ２０６は、受信した変動パターン指定コマンドに応じた演出表示を実行することとなる。この処理が終了した場合には、ステップＳ１１０に処理を移す。
【０１５５】
ステップＳ１１０においては、決定した変動パターンに対応する変動時間を待ち時間タイマにセットする処理を実行する。この処理において、メインＣＰＵ６６は、ステップＳ１０９の処理により決定された変動パターンと、その変動パターンの変動時間を示す変動時間テーブルと、に基づいて、変動時間を算出し、その変動時間を示す値を待ち時間タイマに記憶する。そして、今回の変動表示に用いられた記憶領域をクリアする処理を実行する（ステップＳ１１１）。この処理が終了した場合には、本サブルーチンを終了する。
【０１５６】
［普通図柄制御処理］
図７のステップＳ１６において実行されるサブルーチンについて図１３を用いて説明する。尚、図１３において、ステップＳ２０２からステップＳ２０６の側方に描いた数値は、それらのステップに対応する普通図柄制御状態フラグを示し、その普通図柄制御状態フラグの数値に応じて、その数値に対応する一つのステップが実行され、普通図柄ゲームが進行することとなる。
【０１５７】
最初に、図１３に示すように、普通図柄制御状態フラグをロードする処理を実行する（ステップＳ２０１）。この処理において、メインＣＰＵ６６は、普通図柄制御状態フラグを読み出す。この処理が終了した場合には、ステップＳ２０２に処理を移す。
【０１５８】
尚、後述するステップＳ２０２からステップＳ２０６において、メインＣＰＵ６６は、後述するように、普通図柄制御状態フラグの値に基づいて、各ステップにおける各種の処理を実行するか否かを判断することとなる。この普通図柄制御状態フラグは、普通図柄ゲームの遊技の状態を示すものであり、ステップＳ２０２からステップＳ２０６における処理のいずれかを実行可能にするものである。また、それに加えて、メインＣＰＵ６６は、各ステップに対して設定された待ち時間タイマ等に応じて決定される所定のタイミングで各ステップにおける処理を実行する。尚、この所定のタイミングに至る前においては、各ステップにおける処理を実行することなく終了することとなり、他のサブルーチンを実行することとなる。もちろん、所定の周期でシステムタイマ割込処理も実行する。
【０１５９】
ステップＳ２０２においては、普通図柄記憶チェック処理を実行する。詳しくは図１４を用いて説明するが、メインＣＰＵ６６は、普通図柄制御状態フラグが普通図柄記憶チェックを示す値（００）である場合に、普通図柄に関する保留個数のチェックを行い、保留個数がある場合に、当り判定等を行う。また、メインＣＰＵ６６は、普通図柄変動時間管理を示す値（０１）を普通図柄制御状態フラグにセットし、今回の処理で決定された変動時間を待ち時間タイマにセットする。つまり、今回決定された変動時間を経過した後、ステップＳ２０３の処理を実行するように設定するのである。この処理が終了した場合には、ステップＳ２０３に処理を移す。
【０１６０】
ステップＳ２０３においては、普通図柄変動時間監視処理を実行する。詳しくは図１５を用いて説明するが、メインＣＰＵ６６は、普通図柄制御状態フラグが普通図柄変動時間管理を示す値（０１）であり、変動時間が経過した場合に、普通図柄表示時間監視を示す値（０２）を普通図柄制御状態フラグにセットし、確定後待ち時間（例えば０．５秒）を待ち時間タイマにセットする。つまり、確定後待ち時間が経過した後、ステップＳ２０４の処理を実行するように設定するのである。この処理が終了した場合には、ステップＳ２０４に処理を移す。
【０１６１】
ステップＳ２０４においては、普通図柄表示時間監視処理を実行する。詳しくは図１６を用いて説明するが、メインＣＰＵ６６は、普通図柄制御状態フラグが普通図柄表示時間監視を示す値（０２）であり、確定後待ち時間が経過した場合に、当りか否かを判断する。メインＣＰＵ６６は、当りである場合に、普通電役開放設定処理を実行し、普通電動役物開放を示す値（０３）を普通図柄制御状態フラグにセットする。つまり、ステップＳ２０５の処理を実行するように設定するのである。一方、メインＣＰＵ６６は、当りではない場合に、普通図柄ゲーム終了を示す値（０４）をセットする。つまり、ステップＳ２０６の処理を実行するように設定するのである。この処理が終了した場合には、ステップＳ２０５に処理を移す。
【０１６２】
ステップＳ２０５においては、普通電動役物開放処理を実行する。詳しくは図１８を用いて説明するが、メインＣＰＵ６６は、普通図柄制御状態フラグが普通電役開放を示す値（０３）である場合に、普通電動役物の開放中において所定数の始動入賞があったという条件、普通電役開放時間タイマが“０”であるという条件のいずれかを満たすか否かを判断する。メインＣＰＵ６６は、いずれかの条件を満たした場合に、普通電動役物である羽根部材４８を閉鎖状態にさせるために、メインＲＡＭ７０に位置付けられた変数を更新する。メインＣＰＵ６６は、普通図柄ゲーム終了を示す値（０４）を普通図柄制御状態フラグにセットする。つまり、ステップＳ２０６の処理を実行するように設定するのである。この処理が終了した場合には、ステップＳ２０６に処理を移す。
【０１６３】
ステップＳ２０６においては、普通図柄ゲーム終了処理を実行する。詳しくは図１９を用いて説明するが、メインＣＰＵ６６は、普通図柄制御状態フラグが普通図柄ゲーム終了を示す値（０４）である場合に、普通図柄に関する保留個数を示すデータを“１”減少するように記憶更新する。メインＣＰＵ６６は、次回の普通図柄の変動表示を行うために、普通図柄記憶領域の更新を行う。メインＣＰＵ６６は、普通図柄記憶チェックを示す値（００）をセットする。つまり、ステップＳ２０１の処理を実行するように設定するのである。この処理が終了した場合には、本サブルーチンを終了する。
【０１６４】
［普通図柄記憶チェック処理］
図１３のステップＳ２０２において実行されるサブルーチンについて図１４を用いて説明する。
【０１６５】
最初に、図１４に示すように、普通図柄制御状態フラグが普通図柄記憶チェックを示す値（００）であるか否かの判断を行い（ステップＳ５１１）、普通図柄制御状態フラグが普通図柄記憶チェックを示す値であると判別した場合には、ステップＳ５１２に処理を移し、普通図柄制御状態フラグが普通図柄記憶チェックを示す値であるとは判別しなかった場合には、本サブルーチンを終了する。そして、ステップＳ５１２においては、メインＣＰＵ６６は、普通図柄に関する保留個数が“０”であるか否かの判断を行い、普通図柄に関する保留個数が“０”であると判別した場合には、普通図柄デモ表示処理を実行する（ステップＳ５１３）。この処理において、メインＣＰＵ６６は、普通図柄デモ表示を行わせるために普通図柄表示装置３５に普通図柄デモ表示コマンドを供給するための変数をメインＲＡＭ７０に記憶する。これによって、普通図柄表示装置３５において、普通図柄デモ演出が実行されることとなる。この処理が終了した場合には、本サブルーチンを終了する。尚、この普通図柄に関する保留個数は、球通過検出器５４の近傍を遊技球が通過したことを検出した場合に、所定個数（例えば“４”）を上限として“１”増加され、普通図柄ゲームにおける普通図柄の可変表示が終了したときには、“１”減算される。一方、メインＣＰＵ６６は、普通図柄に関する保留個数が“０”であるとは判別しなかった場合には、ステップＳ５１４に処理を移す。
【０１６６】
ステップＳ５１４においては、普通図柄当り判定処理を実行する。この処理において、メインＣＰＵ６６は、普通図柄始動領域通過時に（球通過検出器５４の近傍を遊技球が通過することによって）抽出された普通図柄当り判定用乱数値と、メインＲＯＭ６８に記憶されている普通図柄当り判定値とを参照する。そして、メインＣＰＵ６６は、参照した結果、普通図柄当り判定用乱数値が普通図柄当り判定値と一致する場合には、当り図柄（例えば、“○”図柄）を示すデータをセットし、当りフラグに“７７”を記憶する。一方、メインＣＰＵ６６は、参照した結果、普通図柄当り判定用乱数値が普通図柄当り判定値と一致しない場合には、はずれ図柄（例えば、“×”図柄）を示すデータをセットし、当りフラグに“００”を記憶する。このように記憶された当り図柄、はずれ図柄は、普通図柄表示装置３５に導出普通図柄指定コマンドとして供給される。これによって、普通図柄表示装置３５は、普通図柄の可変表示を行う。また、当り図柄、はずれ図柄は、図８のステップＳ４７の処理により、主制御回路６０のメインＣＰＵ６６から副制御回路２００のサブＣＰＵ２０６に導出普通図柄指定コマンドとして供給される。これによって、副制御回路２００において、普通図柄ゲームにおける当り、はずれを認識可能となる。この処理が終了した場合には、ステップＳ５１６に処理を移す。
【０１６７】
ステップＳ５１６においては、普通図柄変動パターンコマンドデータ、普通図柄待ち時間タイマをセットする。この処理において、メインＣＰＵ６６は、当りであるか否かの判定結果と、今現在の特別図柄ゲームの遊技状態に基づいて、普通図柄変動パターンを決定し、普通図柄変動パターンを示す普通図柄変動パターンコマンドデータをセットする。尚、遊技状態が確変状態である場合には、通常遊技状態などである場合よりも短い時間で、普通図柄が導出表示されるように普通図柄変動パターンが決定される（例えば、確変状態では５秒、通常遊技状態などにおいては３０秒など）。このように記憶された普通図柄変動パターンコマンドデータは、普通図柄表示装置３５に普通図柄変動パターン指定コマンドとして供給される。これによって、普通図柄表示装置３５は、決定された変動パターンで普通図柄の可変表示を行う。また、普通図柄変動パターンデータは、図８のステップＳ４７の処理により、主制御回路６０のメインＣＰＵ６６から副制御回路２００のサブＣＰＵ２０６に普通図柄変動パターン指定コマンドとして供給される。これによって、副制御回路２００において、普通図柄ゲームにおける変動パターンを認識可能となる。この処理が終了した場合には、ステップＳ５１８に処理を移す。
【０１６８】
ステップＳ５１８においては、普通図柄制御状態フラグとして普通図柄変動時間管理を示す値（０１）をセットする処理を実行する。この処理において、メインＣＰＵ６６は、普通図柄変動時間管理を示す値を普通図柄制御状態フラグに記憶する。そして、今回の普通図柄の変動表示に用いられた記憶領域をクリアする処理を実行する（ステップＳ５１９）。この処理が終了した場合には、本サブルーチンを終了する。
【０１６９】
［普通図柄変動時間監視処理］
図１３のステップＳ２０３において実行されるサブルーチンについて図１５を用いて説明する。
【０１７０】
最初に、図１５に示すように、普通図柄制御状態フラグが普通図柄変動時間管理を示す値（０１）であるか否かの判断（ステップＳ５３１）、普通図柄待ち時間タイマが“０”であるか否かの判断を行う（ステップＳ５３２）。この処理において、メインＣＰＵ６６は、普通図柄制御状態フラグが普通図柄変動時間管理を示す値であり、かつ、普通図柄待ち時間タイマが“０”であると判別した場合には、ステップＳ５３３に処理を移す。一方、メインＣＰＵ６６は、普通図柄制御状態フラグが普通図柄変動時間管理を示す値であるとは判別しなかった場合、又は、普通図柄待ち時間タイマが“０”であるとは判別しなかった場合には、本サブルーチンを終了する。
【０１７１】
ステップＳ５３３において、メインＣＰＵ６６は、普通図柄制御状態フラグとして普通図柄表示時間監視を示す値（０２）をセットする処理を実行する。そして、メインＣＰＵ６６は、確定後待ち時間（例えば０．５秒）を待ち時間タイマにセットする処理を実行する（ステップＳ５３４）。この処理が終了した場合には、本サブルーチンを終了する。
【０１７２】
［普通図柄表示時間監視処理］
図１３のステップＳ２０４において実行されるサブルーチンについて図１６を用いて説明する。
【０１７３】
最初に、図１６に示すように、普通図柄制御状態フラグが普通図柄表示時間監視を示す値（０２）であるか否かの判断（ステップＳ５４１）、普通図柄待ち時間タイマが“０”であるか否かの判断を行う（ステップＳ５４２）。この処理において、メインＣＰＵ６６は、普通図柄制御状態フラグが普通図柄表示時間監視を示す値であり、かつ、普通図柄待ち時間タイマが“０”であると判別した場合には、ステップＳ５４３に処理を移す。一方、メインＣＰＵ６６は、普通図柄制御状態フラグが普通図柄表示時間監視を示す値であるとは判別しなかった場合、又は、普通図柄待ち時間タイマが“０”であるとは判別しなかった場合には、本サブルーチンを終了する。
【０１７４】
ステップＳ５４３においては、当りフラグが“７７”であるか否かの判断を行う。この処理において、メインＣＰＵ６６は、当りフラグが“７７”であるとは判別しなかった場合には、ステップＳ５４４に処理を移し、当りフラグが“７７”であると判別した場合には、ステップＳ５４５に処理を移す。
【０１７５】
ステップＳ５４４においては、普通図柄制御状態フラグとして普通図柄ゲーム終了を示す値（０４）をセットする処理を実行する。この処理において、メインＣＰＵ６６は、普通図柄ゲーム終了を示す値を普通図柄制御状態フラグに記憶する。これによって、羽根部材４８が閉鎖状態として維持されることとなる。この処理が終了した場合には、本サブルーチンを終了する。
【０１７６】
一方、ステップＳ５４５においては、普通電役開放設定処理を実行する。詳しくは図１７を用いて後述するが、メインＣＰＵ６６は、羽根部材４８の開放設定など、各種の処理を実行する。この処理が終了した場合には、ステップＳ５５０に処理を移す。
【０１７７】
ステップＳ５５０においては、普通電役入賞カウンタに初期値（０）をセットする処理を実行する。この処理において、メインＣＰＵ６６は、羽根部材４８が開放状態となる場合に、普通電役入賞カウンタに初期値“０”をセットする。これによって、後述するように、羽根部材４８が開放状態である場合に、始動口４４に入賞した遊技球の数が所定数となったことを条件として、羽根部材４８を開放状態から閉鎖状態と制御することとなる。そして、普通電役開放を示す値（０３）を普通図柄制御状態フラグにセットする（ステップＳ５５０）。この処理において、メインＣＰＵ６６は、普通電役開放を示す値を普通図柄制御状態フラグに記憶する。この処理が終了した場合には、本サブルーチンを終了する。
【０１７８】
［普通電役開放設定処理］
図１６のステップＳ５４５において実行されるサブルーチンについて図１７を用いて説明する。
【０１７９】
最初に、図１７に示すように、保留状態フラグがオンであるか否かを判断する（ステップＳ６０１）。この処理において、メインＣＰＵ６６は、メインＲＡＭ７０の所定領域に位置付けられた保留状態フラグを読み出し、保留状態フラグがオンであるか否かを判断する。メインＣＰＵ６６は、保留状態フラグがオンであると判別した場合には、ステップＳ６０２に処理を移す。一方、メインＣＰＵ６６は、保留状態フラグがオフであると判別した場合には、ステップＳ６０６に処理を移す。
【０１８０】
ステップＳ６０６において、１つの当り保留個数に対応する普通電役開放設定を行う。この処理において、メインＣＰＵ６６は、遊技状態に基づいて、１つの当り保留個数に対応する普通電役開放設定を行う。つまり、メインＣＰＵ６６は、普通図柄の可変表示の結果が所定の表示態様となったことを条件に、羽根部材４８を所定の態様で第一の状態に制御することとなる。
【０１８１】
具体的には、メインＣＰＵ６６は、確変状態である場合には、例えば、羽根部材４８を、開放状態を２秒、閉鎖状態を１秒、開放状態を２秒、閉鎖状態を１秒、開放状態を２秒と駆動させるために、メインＲＡＭ７０の所定領域に普通電役開放コマンド（確変時１回）を示すデータをセットする。一方、メインＣＰＵ６６は、今現在の遊技状態が通常時（通常遊技状態、大当り遊技状態）においては、例えば、羽根部材４８を、開放状態を０．２秒と駆動させるために、メインＲＡＭ７０の所定領域に普通電役開放コマンド（通常時１回）を示すデータをセットする。また、メインＣＰＵ６６は、遊技状態に応じた１回の当りに対応する開放時間を示すデータを普通電役開放時間タイマにセットする。また、メインＣＰＵ６６は、遊技状態に関わらず、普通電役入賞カウンタに初期値（例えば、“０”）をセットする。このように記憶されたコマンドを示すデータは、図８のステップＳ４６の処理により、普通電動役物ソレノイド１１８を駆動して、羽根部材４８を開放状態、閉鎖状態とすることとなる。また、このように記憶されたコマンドを示すデータは、図８のステップＳ４７の処理により、副制御回路２００に供給される。これによって、副制御回路２００においても、普通電動役物ソレノイド１１８を駆動させて、羽根部材４８を開放状態、閉鎖状態となっていることが認識可能となる。尚、本実施形態においてステップＳ６０６を実行するメインＣＰＵ６６は、可変入賞装置制御手段の一例に相当する。この処理が終了した場合には、本サブルーチンを終了する。
【０１８２】
一方、ステップＳ６０２において、開放貯留処理を実行する。この処理において、メインＣＰＵ６６は、メインＲＡＭ７０の所定領域に位置付けられた当り保留個数を“１”だけ増加させる。更には、メインＣＰＵ６６は、今現在の遊技状態が確変状態であったか通常時であったかなどが認識可能なように、遊技状態を示すデータも、メインＲＡＭ７０の所定領域にセットする。具体的な一例としては、今現在の遊技状態が確変状態であった場合には、メインＣＰＵ６６は、確変状態を示すデータを“１”だけ増加させる（例えば、予め“１”とセットされていた場合には“２”とセットする）。これによって、当りとなった場合における遊技状態に対応する羽根部材４８の開放制御を行うことができる。このように、メインＣＰＵ６６は、識別情報（普通図柄）の可変表示の結果が所定の表示態様（例えば、“○”など）となったことを条件に、その所定の表示態様となったことに関する表示態様情報（当り保留個数や遊技状態を示すデータなど）を保持することとなる。尚、本処理を実行するメインＣＰＵ６６や、当り保留個数が記憶されるメインＲＡＭ７０は、表示態様情報保持手段の一例に相当する。この処理が終了した場合には、ステップＳ６０３に処理を移す。
【０１８３】
ステップＳ６０３において、所定の複数個数の保留となったか否かを判断する。この処理において、メインＣＰＵ６６は、メインＲＡＭ７０の所定領域に位置付けられた当り保留個数を読み出し、所定の複数個数（例えば、３個）の保留となったか否かを判断する。メインＣＰＵ６６は、所定の複数個数（例えば、３個）の保留となったと判別した場合には、ステップＳ６０４に処理を移す。一方、メインＣＰＵ６６は、所定の複数個数（例えば、３個）の保留となっていないと判別した場合には、本サブルーチンを終了する。
【０１８４】
ステップＳ６０４において、保留放出フラグがオンであるか否かを判断する。この処理において、メインＣＰＵ６６は、メインＲＡＭ７０の所定領域に位置付けられた保留放出フラグを読み出し、保留放出フラグがオンであるか否かを判断する。つまり、ステップＳ３０５、ステップＳ３０６においてゲーム操作部８８が操作された場合には、保留放出フラグがオンとなっている。メインＣＰＵ６６は、保留放出フラグがオンであると判別した場合には、ステップＳ６０５に処理を移す。一方、メインＣＰＵ６６は、保留放出フラグがオフであると判別した場合には、本サブルーチンを終了する。
【０１８５】
ステップＳ６０５において、放出する当り保留個数に対応する普通電役開放設定を行う。この処理において、メインＣＰＵ６６は、放出する当り保留個数に対応する普通電役開放設定を行う。つまり、メインＣＰＵ６６は、普通図柄の可変表示の結果が所定の表示態様となったことを条件に、羽根部材４８を所定の態様で第一の状態に制御することとなる。
【０１８６】
具体的には、メインＣＰＵ６６は、ステップＳ６０２において保留されていた結果、メインＲＡＭ７０の所定領域に位置付けられた当り保留個数と、遊技状態を示すデータとを読み出す。そして、メインＣＰＵ６６は、それら当り保留個数と、遊技状態を示すデータとに基づいて、放出する当り保留個数に対応する態様で羽根部材４８を駆動させるために、メインＲＡＭ７０の所定領域に普通電役開放コマンド（保留放出）を示すデータをセットする。例えば、メインＣＰＵ６６は、当り保留個数が“３”、通常時を示すデータが“１”、確変状態を示すデータが“２”の場合には、羽根部材４８を、開放状態を０．２秒、閉鎖状態を１秒と駆動させ（通常時１回分）、開放状態を２秒、閉鎖状態を１秒、開放状態を２秒、閉鎖状態を１秒、開放状態を２秒と駆動させ（確変時１回分）、開放状態を２秒、閉鎖状態を１秒、開放状態を２秒、閉鎖状態を１秒、開放状態を２秒と駆動させる（確変時１回分）ため、メインＲＡＭ７０の所定領域に普通電役開放コマンド（保留放出）を示すデータをセットする。また、メインＣＰＵ６６は、放出する当り保留個数に対応する開放時間を示すデータを普通電役開放時間タイマにセットする。また、メインＣＰＵ６６は、普通電役入賞カウンタに初期値（例えば、“０”）をセットする。このように記憶されたコマンドを示すデータは、図８のステップＳ４６の処理により、普通電動役物ソレノイド１１８を駆動して、羽根部材４８を開放状態、閉鎖状態とすることとなる。また、このように記憶されたコマンドを示すデータは、図８のステップＳ４７の処理により、副制御回路２００に供給される。これによって、副制御回路２００においても、普通電動役物ソレノイド１１８を駆動させて、羽根部材４８を開放状態、閉鎖状態となっていることが認識可能となる。
【０１８７】
つまり、上述したように、ステップＳ３０６において保留放出フラグがオンとされることによって（ゲーム操作部８８の操作に応じて）、保持された当り保留個数が所定数（複数、例えば３個など）となったことを条件に、ステップＳ６０５において、その当り保留個数のうち複数の当り保留個数に対応する態様で羽根部材４８を第一の状態に制御することとなる。尚、本実施形態においてステップＳ６０５を実行するメインＣＰＵ６６は、可変入賞装置制御手段の一例に相当する。
【０１８８】
このように、識別情報の可変表示の結果が所定の表示態様となったことを条件に、その所定の表示態様となったことに関する表示態様情報を保持する。そして、保持された表示態様情報が複数となったことを条件に、その表示態様情報のうち複数の表示態様情報に対応する態様で可変入賞装置を、遊技球を受け入れ易い第一の状態に制御する。このため、第一の状態に制御するタイミングを集中させることによって、遊技者によって意図して可変入賞装置に遊技球を入賞させ易くなる。従って、このような機会を提供することによって、識別情報に対する期待感を高揚させることによって、遊技に対する興趣の向上を図ることができる。もちろん、第一の状態となる時間が短時間であっても長時間であっても、第一の状態となる時間がより長くなる。
【０１８９】
また、遊技者によって操作可能な解除操作手段の操作に応じて、複数の表示態様情報に対応する態様で、可変入賞装置を第一の状態に制御する。このため、遊技者の意図するタイミングで可変入賞装置を第一の状態に制御することができ、より一層、識別情報に対する期待感を高揚させることによって、遊技に対する興趣の向上を図ることができる。
【０１９０】
また、メインＣＰＵ６６は、メインＲＡＭ７０の所定領域に位置付けられた当り保留個数を、放出する当り保留個数の分だけ減ずる。そして、メインＣＰＵ６６は、メインＲＡＭ７０の所定領域に位置付けられた保留放出フラグをオフとする。この処理が終了した場合には、本サブルーチンを終了する。
【０１９１】
また、上述したように、ステップＳ３０３において保留状態フラグがオンとされることによって、ステップＳ６０２において、普通図柄ゲームにおける当りが当り保留個数として保留される。一方、ステップＳ３０３において保留状態フラグがオフとされることによって、ステップＳ６０２を実行することなく、ステップＳ６０６において１回分の当りに対応する普通図柄開放制御設定処理が実行される。つまり、メインＣＰＵ６６は、ゲーム操作部８８の操作に応じて、普通図柄の可変表示の結果が所定の表示態様となった場合に、その所定の表示態様となった旨の表示態様情報を保持させるか否かを決定することとなる。このように、遊技者によって操作可能な遊技操作手段の操作に応じて、識別情報の可変表示の結果が所定の表示態様となった場合に、表示態様情報を保持させるか否かを決定する。このため、遊技者の所望とする遊技態様で遊技を行うことができる。尚、ステップＳ３０２、ステップＳ３０３を実行するメインＣＰＵ６６は、情報保持決定手段の一例に相当する。
【０１９２】
［普通電役開放処理］
図１３のステップＳ２０５において実行されるサブルーチンについて図１８を用いて説明する。
【０１９３】
最初に、図１８に示すように、普通図柄制御状態フラグが普通電役開放を示す値（０３）であるか否かの判断を行う（ステップＳ５６１）。この処理において、メインＣＰＵ６６は、普通図柄制御状態フラグが普通電役開放を示す値（０３）であると判別した場合には、ステップＳ５６２に処理を移し、普通図柄制御状態フラグが普通電役開放を示す値であるとは判別しなかった場合には、本サブルーチンを終了する。
【０１９４】
ステップＳ５６２においては、普通電役入賞カウンタが所定数以上であるか否かを判断する。この処理において、メインＣＰＵ６６は、普通電役入賞カウンタを読み出し、普通電役入賞カウンタが所定数以上であると判別した場合には、ステップＳ５６４に処理を移す。一方、メインＣＰＵ６６は、普通電役入賞カウンタが所定数以上であるとは判別しなかった場合には、ステップＳ５６３に処理を移す。尚、この普通電役入賞カウンタは、図８のステップＳ４３の処理によって、羽根部材４８が開放状態である場合に、始動口４４に入賞した遊技球の数がカウントされ、“１”増加するように更新される。このため、始動口４４に入賞した遊技球の数が所定数となった場合には、ステップＳ５６４の処理に処理を移すこととなる。また、この所定数は、放出される当り保留個数に対応しており、放出する当り保留個数と“４”との積となる。具体的には、当り保留個数が“１”の場合には所定数が“４”、当り保留個数が“３”の場合には所定数が“１２”、当り保留個数が“４”の場合には所定数が“１６”となる。
【０１９５】
ステップＳ５６３においては、普通電役開放時間タイマが“０”であるか否かを判断する。この処理において、メインＣＰＵ６６は、普通電役開放時間タイマが“０”であると判別した場合には、ステップＳ５６４に処理を移す。一方、メインＣＰＵ６６は、普通電役開放時間タイマが“０”であるとは判別しなかった場合には、本サブルーチンを終了する。尚、上述したステップＳ６０５、ステップＳ６０６を実行していない場合には、最初から普通電役開放時間タイマが“０”であるため、ステップＳ５６４に処理を移す。
【０１９６】
ステップＳ５６４においては、メインＣＰＵ６６は、普通図柄制御状態フラグに普通図柄終了を示す値（０４）をセットする処理を実行する。そして、普通電役の閉鎖設定処理を実行する（ステップＳ５６５）。この処理において、メインＣＰＵ６６は、羽根部材４８を閉鎖状態に駆動させるために、メインＲＯＭ６８から読み出されたデータに基づいて、メインＲＡＭ７０に位置付けられた変数を更新する。このように記憶された変数は、図８のステップＳ４６の処理により、普通電動役物ソレノイド１１８を閉鎖状態として、始動口４４に遊技球が入りにくくなるようにする。この処理が終了した場合には、本サブルーチンを終了する。尚、上述したステップＳ６０５、ステップＳ６０６を実行していない場合には、最初から羽根部材４８が閉鎖状態であるため、普通電役の閉鎖設定処理を実行しなくてもよい。
【０１９７】
このように、識別情報の可変表示の結果が所定の表示態様となったことを条件に、その所定の表示態様となったことに関する表示態様情報を保持する。そして、保持された表示態様情報が複数となったことを条件に、その表示態様情報のうち複数の表示態様情報に対応する態様で可変入賞装置を、遊技球を受け入れ易い第一の状態に制御する。このため、第一の状態に制御するタイミングを集中させることによって、遊技者によって意図して可変入賞装置に遊技球を入賞させ易くなる。従って、このような機会を提供することによって、識別情報に対する期待感を高揚させることによって、遊技に対する興趣の向上を図ることができる。もちろん、第一の状態となる時間が短時間であっても長時間であっても、第一の状態となる時間がより長くなる。
【０１９８】
［普通図柄ゲーム終了処理］
図１３のステップＳ２０６において実行されるサブルーチンについて図１９を用いて説明する。
【０１９９】
最初に、図１９に示すように、普通図柄制御状態フラグが普通図柄ゲーム終了を示す値（０４）であるか否かの判断を行い（ステップＳ５７１）、普通図柄制御状態フラグが普通図柄ゲーム終了を示す値であると判別した場合には、ステップＳ５７２に処理を移し、普通図柄制御状態フラグが普通図柄ゲーム終了を示す値であるとは判別しなかった場合には、本サブルーチンを終了する。
【０２００】
ステップＳ５７１の処理により普通図柄制御状態フラグが普通図柄ゲーム終了を示す値であると判別された場合には、メインＣＰＵ６６は、普通図柄に関する保留個数を“１”減算する処理を実行する（ステップＳ５７２）。そして、メインＣＰＵ６６は、普通図柄記憶領域（１）から普通図柄記憶領域（４）のデータのそれぞれを、普通図柄記憶領域（０）から普通図柄記憶領域（３）にシフト（記憶）する処理を実行し（ステップＳ５７３）、普通図柄記憶領域（４）にクリアデータをセットする処理を実行する（ステップＳ５７４）。これによって、普通図柄記憶領域のデータの更新、つまり普通図柄に関する保留個数の更新を実行することになる。次回の普通図柄当り判定には普通図柄記憶領域（０）にセットされたデータが使用されることとなる。続いて、メインＣＰＵ６６は、普通図柄制御状態フラグとして普通図柄記憶チェックを示す値（００）をセットする処理を実行する（ステップＳ５７５）。この処理が終了した場合には、本サブルーチンを終了する。
【０２０１】
［副制御回路メイン処理］
一方、副制御回路２００は、副制御回路メイン処理を実行することとなる。この副制御回路メイン処理について図２０を用いて説明する。尚、この副制御回路メイン処理は、電源が投入されたときに開始される処理である。言い換えると、この副制御回路メイン処理は、電源が意図して遮断されたか、意図せず遮断されたかに関わらず（後述する初期設定を行う状態か、所定の復帰条件が成立してバックアップ復帰を行う状態かを問わず）、電源が投入された場合に開始される処理である。
【０２０２】
最初に、図２０に示すように、サブＣＰＵ２０６は、ＲＡＭアクセス許可、作業領域を初期化等の初期設定処理を実行する（ステップＳ２０１）。つまり、サブＣＰＵ２０６は、電源が投入されたことに基づいて、遊技を正常に行わせるための所定の初期設定を行うこととなる。尚、本実施形態においては、ステップＳ２０１を実行するサブＣＰＵ２０６は、初期設定手段の一例に相当する。この処理が終了した場合には、ステップＳ２０２に処理を移す。
【０２０３】
ステップＳ２０２において、サブＣＰＵ２０６は、乱数更新処理を実行する。この処理において、サブＣＰＵ２０６は、ワークＲＡＭ２１０の所定領域に位置付けられた各種の乱数カウンタの乱数値を更新する。この処理が終了した場合には、ステップＳ２０３に処理を移す。
【０２０４】
ステップＳ２０３において、サブＣＰＵ２０６は、コマンド解析処理を実行する。詳しくは図２４を用いて後述するが、受信したコマンドを解析し、その解析したコマンドに応じた処理を実行することとなる。この処理が終了した場合には、ステップＳ２０４に処理を移す。
【０２０５】
ステップＳ２０４において、サブＣＰＵ２０６は、表示制御処理を実行する。詳しくは図２５を用いて後述するが、サブＣＰＵ２０６は、液晶表示装置３２における画像の表示制御を行う。
【０２０６】
そして、サブＣＰＵ２０６は、スピーカ４６から発生させる音の制御を行う音声制御処理（ステップＳ２０５）、各種のランプ１３２の発光制御を行うランプ制御処理を実行する（ステップＳ２０６）。この処理が終了した場合には、再度、ステップＳ２０２に処理を移す。
【０２０７】
このように、副制御回路メイン処理においては、ステップＳ２０１の初期設定処理が終了した後、ステップＳ２０２からステップＳ２０６の処理を繰り返し実行することとなる。
【０２０８】
［コマンド割込処理］
また、副制御回路２００では、所定のタイミング（例えば、コマンドを受信したタイミングなど）によりコマンド割込処理を実行することとなる。このコマンド割込処理について図２１を用いて説明する。
【０２０９】
最初に、図２１に示すように、サブＣＰＵ２０６は、レジスタの退避（ステップＳ２２１）行い、主制御回路６０から受信した各種の受信コマンドを、ワークＲＡＭ２１０の所定領域に位置付けられたコマンドバッファに格納する（ステップＳ２２２）。そして、サブＣＰＵ２０６は、ステップＳ２２１において退避させたレジスタを復帰させる（ステップＳ２２３）。この処理が終了した場合には、本サブルーチンを終了する。
【０２１０】
［ＶＤＰ割込処理］
また、副制御回路２００では、所定のタイミング（例えば、表示装置における垂直同期のタイミング（１／６０ｓ）など、一定の周期毎など）によりＶＤＰ割込処理を実行することとなる。このＶＤＰ割込処理について図２２を用いて説明する。
【０２１１】
最初に、図２２に示すように、サブＣＰＵ２０６は、レジスタの退避（ステップＳ２３１）行い、ワークＲＡＭ２１０の所定領域に位置付けられたＶＤＰカウンタを“１”増加させて記憶する、つまり、インクリメントする（ステップＳ２３２）。このＶＤＰカウンタは、画像を表示させるためのカウンタであり、画像を表示させるタイミングをカウントする。具体的には、垂直同期のタイミング毎に呼び出される本処理を実行する度に、ＶＤＰカウンタが“１”増加することとなる。これによって、後述する表示制御処理（図２５参照）において、サブＣＰＵ２０６は、ＶＤＰカウンタが“２”増加する毎に、表示制御を行うためのデータを表示制御回路２５０に供給することとなる。つまり、本処理を実行するサブＣＰＵ２０６は、画像を表示するためのタイミングをカウントしている。そして、サブＣＰＵ２０６は、ステップＳ２３１において退避させたレジスタを復帰させる（ステップＳ２３３）。この処理が終了した場合には、本サブルーチンを終了する。
【０２１２】
［タイマ割込処理］
また、副制御回路２００では、所定のタイミング（例えば、２ｍｓなど、一定の周期毎など）によりタイマ割込処理を実行することとなる。このタイマ割込処理について図２３を用いて説明する。
【０２１３】
最初に、図２３に示すように、サブＣＰＵ２０６は、レジスタの退避（ステップＳ２４１）行い、各種タイマの更新処理を実行する（ステップＳ２４２）。そして、サブＣＰＵ２０６は、スイッチ入力処理を実行する（ステップＳ２４３）。この処理において、サブＣＰＵ２０６は、遊技者の操作に応じた各種の処理を実行することとなる。そして、サブＣＰＵ２０６は、ステップＳ２４１において退避させたレジスタを復帰させる（ステップＳ２４４）。この処理が終了した場合には、本サブルーチンを終了する。
【０２１４】
［コマンド解析処理］
図２０のステップＳ２０３において実行されるサブルーチンについて図２４を用いて説明する。
【０２１５】
最初に、図２４に示すように、サブＣＰＵ２０６は、受信コマンドがあるか否かを判断する（ステップＳ４０１）。この処理において、サブＣＰＵ２０６は、コマンド割込処理（図２１参照）のステップＳ２２２においてコマンドバッファにコマンドが格納されているか否かによって、受信コマンドがあるか否かを判断することとなる。この処理において、サブＣＰＵ２０６は、受信コマンドがあると判別した場合には、ワークＲＡＭ２１０の所定領域に位置付けられたコマンドバッファから、コマンドデータを読み出し（ステップＳ４０２）、ステップＳ４０３に処理を移す。一方、サブＣＰＵ２０６は、受信コマンドがないと判別した場合には、本サブルーチンを終了する。
【０２１６】
つまり、ステップＳ４０２を実行するサブＣＰＵ２０６は、主制御回路６０によって送信された各種のコマンド（例えば、大入賞口開放中コマンド、デモ表示コマンド、全回転リーチを行う旨の変動パターン指定コマンド（全回転リーチパターンコマンド）、マルチラインリーチを行う旨の変動パターン指定コマンド（複数ラインリーチパターンコマンド）など）を受信することとなる。尚、本実施形態において、ステップＳ４０２を実行するサブＣＰＵ２０６は、コマンド受信手段の一例に相当する。
【０２１７】
ステップＳ４０３において、サブＣＰＵ２０６は、変動パターン指定コマンドを受信したか否かを判断する。この処理において、サブＣＰＵ２０６は、ステップＳ４０２において読み出したコマンドデータに基づいて、変動パターン指定コマンドを受信したか否かを判断することとなる。この処理において、サブＣＰＵ２０６は、変動パターン指定コマンドを受信したと判別した場合には、ステップＳ４０４に処理を移す。一方、サブＣＰＵ２０６は、変動パターン指定コマンドを受信していないと判別した場合には、ステップＳ４０６に処理を移す。
【０２１８】
ステップＳ４０４において、サブＣＰＵ２０６は、演出パターン決定処理を実行する。この処理において、サブＣＰＵ２０６は、装飾図柄の変動パターン、背景画像を表示する画像演出パターンなど、各種の演出パターンを決定する。この処理が終了した場合には、本サブルーチンを終了する。
【０２１９】
ステップＳ４０６において、サブＣＰＵ２０６は、導出図柄指定コマンドを受信したか否かを判断する。この処理において、サブＣＰＵ２０６は、ステップＳ４０２において読み出したコマンドデータに基づいて、導出図柄指定コマンドを受信したか否かを判断することとなる。この処理において、サブＣＰＵ２０６は、導出図柄指定コマンドを受信したと判別した場合には、ステップＳ４０７に処理を移す。一方、サブＣＰＵ２０６は、導出図柄指定コマンドを受信していないと判別した場合には、ステップＳ４０８に処理を移す。
【０２２０】
ステップＳ４０７において、導出図柄に対応するデータをセットする。この処理において、サブＣＰＵ２０６は、導出図柄指定コマンドに対応して、導出表示させる装飾図柄を決定し、決定した導出装飾図柄をワークＲＡＭ２１０の所定領域にセットする。この処理が終了した場合には、本サブルーチンを終了する。
【０２２１】
ステップＳ４０８において、サブＣＰＵ２０６は、普通電役開放コマンドを受信したか否かを判断する。この処理において、サブＣＰＵ２０６は、ステップＳ４０２において読み出したコマンドデータに基づいて、普通電役開放コマンドを受信したか否かを判断することとなる。また、この普通電役開放コマンドは、上述したように、当り保留個数や遊技状態を示すデータなどを示すコマンドである。この処理において、サブＣＰＵ２０６は、普通電役開放コマンドを受信したと判別した場合には、ステップＳ４０９に処理を移す。一方、サブＣＰＵ２０６は、普通電役開放コマンドを受信していないと判別した場合には、ステップＳ４１０に処理を移す。
【０２２２】
ステップＳ４０９において、普通電役開放コマンドに対応するデータをセットする。この処理において、サブＣＰＵ２０６は、普通電役開放コマンドに対応するデータを、ワークＲＡＭ２１０の所定領域にセットする。具体的な一例としては、サブＣＰＵ２０６は、普通電役開放コマンド（保留放出）を受信した場合には、当り保留個数、遊技状態を示すデータに基づいて、図６（Ｃ）に示すように、液晶表示装置３２において、当り保留個数に対応する態様で、羽根部材４８を開放制御する旨の画像を報知画像として表示させる。つまり、液晶表示装置３２は、保持されている表示態様情報に関する報知を行うこととなる。このため、保持されている表示態様情報の数や、第一の状態に移行させる時間など、表示態様情報を遊技者に認識させる機会を提供することにより、より一層、識別情報に対する期待感を高揚させることによって、遊技に対する興趣の向上を図ることができる。この処理が終了した場合には、本サブルーチンを終了する。
【０２２３】
ステップＳ４１０において、メインＣＰＵ６６は、受信コマンドに対応する演出制御データをセットし、本サブルーチンを終了する。具体的な一例としては、サブＣＰＵ２０６は、保留状態フラグ変更コマンド、保留放出操作コマンドなどに対応して、各種の報知画像を表示させる。
【０２２４】
［表示制御処理］
図２０のステップＳ２０４において実行されるサブルーチンについて図２５を用いて説明する。
【０２２５】
最初に、図２５に示すように、サブＣＰＵ２０６は、ＶＤＰカウンタが“２”であるか否かを判断する（ステップＳ３５１）。この処理において、サブＣＰＵ２０６は、上述したＶＤＰ割込処理（図２２参照）のステップＳ２３２においてカウントされているＶＤＰカウンタからＶＤＰカウンタ値を読み出し、“２”であるか否かを判断する。つまり、上述したように、ＶＤＰ割込処理において、１／６０ｓ毎にＶＤＰカウンタが“１”増加するため、サブＣＰＵ２０６は、１／３０ｓ経過したか否かを判断することとなる。この処理において、サブＣＰＵ２０６は、ＶＤＰカウンタが“２”であると判別した場合には、ステップＳ３５２に処理を移す。一方、サブＣＰＵ２０６は、ＶＤＰカウンタが“２”ではないと判別した場合には、本サブルーチンを終了する。
【０２２６】
ステップＳ３５２において、サブＣＰＵ２０６は、制御データ出力処理を実行する。この処理において、サブＣＰＵ２０６は、画像を表示させるための制御データを、表示制御回路２５０に供給する。例えば、サブＣＰＵ２０６は、画像データを示すデータなど、演出を示す制御データを表示制御回路２５０に供給することとなる。そして、サブＣＰＵ２０６は、ＶＤＰカウンタに“０”をセットする（ステップＳ３５３）。そして、サブＣＰＵ２０６は、バンク切替指示を表示制御回路２５０に供給する（ステップＳ３５４）。この処理が終了した場合には、本サブルーチンを終了する。
【０２２７】
［その他の実施形態］
尚、本実施形態においては、３個以上の表示態様情報が保持されていた場合には、その保持されている全ての表示態様情報に対応する態様で、羽根部材４８の制御を行ったが、これに限らず、例えば、３個以上のうち２個というように、保持されているなかから一部の表示態様情報に対応する態様で、羽根部材４８の制御を行わなくてもよい。
【０２２８】
また、本実施形態においては、操作に応じて、普通図柄の可変表示の結果が所定の表示態様となった場合に表示態様情報を保持させるか否かを決定するようにしたが、これに限らず、例えば、操作に応じることなく、ランダムに、表示態様情報を保持させるか否かを決定するようにしてもよい。もちろん、必ず表示態様情報を保持させる、必ず表示態様情報を保持させないなど、表示態様情報を保持させるか否かを決定しないようにしてもよい。
【０２２９】
更にまた、本実施形態においては、遊技者の操作に応じて、複数の表示態様情報に対応する態様で、羽根部材４８を第一の状態に制御するようにしたが、これに限らず、例えば、遊技者の操作に応じることなく、ランダムに、複数の表示態様情報に対応する態様で、羽根部材４８を第一の状態に制御するようにしてもよい。
【０２３０】
更にまた、本実施形態においては、保持されている表示態様情報に関する報知を行うようにしたが、これに限らず、例えば、保持されている表示態様情報に関する報知を行わないようしてもよい。
【０２３１】
［遊技盤の構成］
尚、上述した実施形態においては、遊技盤１４の全部を、透過性を有する部材によって構成したが、これに限らず、別の態様であってもよい。遊技盤の具体的な構成の例について図２６を用いて説明する。尚、図２６は、理解を容易とするために、複数の障害釘等を省略したものである。
【０２３２】
例えば、遊技盤の一部を、透過性を有さない部材で構成してもよい。具体的には、図２６（Ａ）に示すように、遊技盤３１４を、透過性を有する部材３１４ａと平板状の透過性を有さない部材３１４ｂ（例えば、木材）とを結合させて構成してもよい。もちろん、図２６（Ａ）に示すように、透過性を有する部材３１４ａと、透過性を有さない部材３１４ｂとを単に結合させて構成するだけでなく、図２６（Ｂ）に示すように、透過性を有する部材３１５ａを、透過性を有さない部材３１５ｂで囲むように結合させる構成としてもよい。
【０２３３】
また、例えば、透過性を有する遊技盤の一部を遮蔽させる加工を施すように構成してもよい。例えば、図２６（Ｃ）に示すように、透過性を有する遊技盤３１６の一部３１６ｂを、遮光性を有する色で塗装してもよい。これによって、符号３１６ａに示すように、一部に透過性を有する遊技盤３１６を構成することができる。もちろん、塗装するかわりに、ブラスト加工、サンドペーパによる微細粗面を形成する光散乱加工を施し、可視光線が散乱してあたかも発光するかのように形成してもよい。
【０２３４】
つまり、遊技盤は、その一部分が少なくとも透過性を有するものであればよい。言い換えると、遊技領域１５の全部又は一部の後方に位置する表示領域３２ａに、その遊技領域１５の全部又は一部の近傍を介して前方から画像が視認可能に表示されるように構成すればよい。
【０２３５】
更には、上述した実施形態においては、一部又は全部に透過性を有する遊技盤１４を用いたが、これに限らず、別の態様であってもよく、例えば、透過性を有さない遊技盤を用いてもよい。
【０２３６】
［表示装置の構成］
透過性を有さない遊技盤を用いた構成について図２７を用いて説明する。
【０２３７】
図２７に示すように、扉３１１には、表示装置３３２が備えられており、各種の演出画像が表示される。この表示装置３３２は、遊技者により触接された座標位置を検出するタッチパネル３５１と、保護カバーである透明アクリル板３５３、３５５と、それら透明アクリル板３５３、３５５の間に透明液晶表示装置から構成される液晶表示装置３５４と、が積層されている。この表示装置３３２（液晶表示装置３５４）は、表示領域に透過性の高い画像を表示可能となる。尚、液晶表示装置３５４は、表示領域に透過性の高い画像を表示するだけでなく、特別図柄の可変表示、普通図柄の可変表示、演出用の演出画像の表示等を行う。
【０２３８】
また、この液晶表示装置３５４の上方及び下方には、液晶表示装置３５４のバックライトとしての照明装置の役割を果たす液晶バックライト３５２が設けられている。また、この液晶バックライト３５２は、電源供給時においては、点灯するように制御されている。このため、液晶バックライト３５２を常時電源供給時において常時駆動させることにより、液晶表示装置３５４に表示される画像を遊技者に対して明瞭に視認可能とさせる。この液晶バックライト３５２は、主として冷陰極管が採用されているが、本発明はこれに限らない。
【０２３９】
遊技盤３１４には障害釘３１３が打ちこまれている。この遊技盤３１４と扉３１１との間に遊技領域３１５が設けられ、その遊技領域３１５に発射された遊技球３１７が転動可能となる。
【０２４０】
尚、この表示装置３３２は、タッチパネル３５１、透明アクリル板３５３、３５５、液晶表示装置３５４、液晶バックライト３５２等を備えているが、これに限らず、他の態様であってもよく、例えば、タッチパネル３５１、透明アクリル板３５３、３５５、液晶バックライト３５２等を備えることなく、液晶表示装置３５４のみを備えるように構成しても問題ない。
【０２４１】
このように、液晶表示装置３５４は、表示領域と、遊技盤３１４における遊技領域３１５の全部又は一部とが重なるように遊技盤３１４の前方に配設され、表示領域に透過性の高い画像を表示可能とするものであるので、遊技領域３１５の全部又は一部を、液晶表示装置３５４を介して前方から画像が視認可能に表示されることとなる。言い換えると、液晶表示装置３５４は、遊技盤３１４の前方に設けられ、透過して当該遊技盤３１４を視認可能であり、遊技に関する演出画像を表示する表示領域を有する装置である。
【０２４２】
尚、本実施形態においては、主制御回路６０と副制御回路２００との複数の制御回路を備えるように構成したが、これに限らず、別の構成としてもよく、例えば、図２８に示すように、副制御回路２００と主制御回路６０とをワンボードに構成してもよい。
【０２４３】
尚、上述した実施形態においては、第１種パチンコ遊技機を例に挙げたが、これに限らず、羽根モノ、ヒコーキモノと称される第２種パチンコ遊技機、権利モノと称される第３種パチンコ遊技機、その他別の態様であってもよい。
【０２４４】
尚、本実施形態においては、図１に示すようなパチンコ遊技機に本発明を採用したが、これに限らず、例えば、ゲーム機などに適用してもよい。例えば、図２９に示すように、ゲーム機６００は、ゲームの進行を制御するとともに、各種の画像を表示させる制御、各種の音声を発生させる制御を行うゲーム機本体６０４と、ゲーム機本体６０４に電気的に接続され、各種の画像を表示する表示装置６０２と、ゲーム機本体６０４に電気的に接続され、遊技者によって操作可能な操作部６０６とから構成される。ゲーム機本体６０４は、上述したような制御を行う制御部（図示せず）を有する。また、このゲーム機本体６０４は、上述したような制御を制御部に行わせるためのプログラムが記憶された情報記憶媒体（例えば、ＣＤ−ＲＯＭ、ＤＶＤ−ＲＯＭなど）を着脱可能である。
【０２４５】
また、上述した実施形態においては、各種の処理をコンピュータに実行させるためのシミュレーションプログラムにも適用可能である。このシミュレーションプログラムは、上述した実施形態における各種の手段としてコンピュータを機能させるためのプログラムである。
【０２４６】
［シミュレーションプログラムの実施形態］
パチンコ遊技を模したシミュレーションプログラムについて図３０を用いて説明する。尚、図３０は、このシミュレーションプログラムを実行するコンピュータを示す概略図である。
【０２４７】
図３０に示すように、コンピュータ３００Ａは、コンピュータ本体３０２、表示領域３０４ａに画像を表示する表示装置３０４、操作部としてのキーボード３０６を備えている。コンピュータ本体３０２には、表示装置３０４と、キーボード３０６と、が電気的に接続されている。尚、本実施形態においては、キーボード３０６を操作部として構成したが、本発明はこれに限らず、操作可能であれば他の態様であってもよく、例えば、マウス、コントローラ等でもよい。
【０２４８】
コンピュータ本体３０２には、制御回路（図示せず）が内蔵されている。この制御回路は、ＣＰＵ等からなる制御部（図示せず）と、各種のデータ、プログラム等を記憶する記憶部（図示せず）と、ＣＤ−ＲＯＭ、ＤＶＤ−ＲＯＭ、ＲＯＭカートリッジ等、コンピュータ３００Ａに挿脱可能な記憶媒体からデータを読み出すドライブ装置（図示せず）と、を備えている。また、制御回路は、表示装置３０４及びキーボード３０６等の外部装置を制御するためのインターフェイス回路（図示せず）を備えている。
【０２４９】
尚、本実施形態においては、コンピュータとしてパーソナルコンピュータを用いた構成としたが、本発明はこれに限らず、別の態様であってもよく、例えば、携帯電話、ＰＤＡ（Personal  Digital  Assistant）等の携帯端末装置であってもよい。
【０２５０】
また、本実施形態においては、上述した実施形態におけるパチンコ遊技を模したシミュレーションプログラムについて説明する。このシミュレーションプログラムは、具体的には以下のような処理（ステップ）をコンピュータに実行させるためのものである。
【０２５１】
（Ａ１）  遊技球画像が転動表示可能な遊技領域における所定領域を遊技球画像が通過したことを条件に識別情報の可変表示を行わせる制御を行う可変表示制御処理。
【０２５２】
（Ａ２）  前記可変表示制御処理において、前記遊技領域において遊技球を受け入れ易い第一の状態と遊技球を受け入れ難い第二の状態とに変動可能な可変入賞装置画像を表示させる制御を行う処理。
【０２５３】
（Ａ３）  前記識別情報の可変表示の結果が所定の表示態様となったことを条件に、前記可変入賞装置画像を所定の態様で前記第一の状態に制御する可変入賞装置制御処理。
【０２５４】
（Ａ４）  前記識別情報の可変表示の結果が所定の表示態様となったことを条件に、当該所定の表示態様となったことに関する表示態様情報を保持する表示態様情報保持処理。
【０２５５】
（Ａ５）  前記可変入賞装置制御処理において、前記表示態様情報保持処理において保持された表示態様情報が複数となったことを条件に、当該表示態様情報のうち複数の表示態様情報に対応する態様で前記可変入賞装置画像を前記第一の状態に表示させる制御を行う処理。
【０２５６】
（Ａ６）  遊技者によって操作可能な解除操作手段の操作に応じて、複数の表示態様情報に対応する態様で、前記可変入賞装置画像を前記第一の状態に制御する処理。
【０２５７】
（Ａ７）  遊技者によって操作可能な遊技操作手段の操作に応じて、前記識別情報の可変表示の結果が所定の表示態様となった場合に前記表示態様情報保持処理において表示態様情報を保持させるか否かを決定する情報保持決定処理。
【０２５８】
（Ａ８）  前記表示態様情報保持処理において保持されている表示態様情報に関する報知を行う表示態様情報報知処理。
【０２５９】
このように、（Ａ１）から（Ａ５）などの処理をコンピュータ３００Ａに実行させることにより、識別情報の可変表示の結果が所定の表示態様となったことを条件に、その所定の表示態様となったことに関する表示態様情報を保持する。そして、保持された表示態様情報が複数となったことを条件に、その表示態様情報のうち複数の表示態様情報に対応する態様で可変入賞装置を、遊技球を受け入れ易い第一の状態に制御する。このため、第一の状態に制御するタイミングを集中させることによって、遊技者によって意図して可変入賞装置に遊技球を入賞させ易くなる。従って、このような機会を提供することによって、識別情報に対する期待感を高揚させることによって、遊技に対する興趣の向上を図ることができる。もちろん、第一の状態となる時間が短時間であっても長時間であっても、第一の状態となる時間がより長くなる。
【０２６０】
また、（Ａ６）の処理をコンピュータ３００Ａに実行させることにより、遊技者によって操作可能な解除操作手段の操作に応じて、複数の表示態様情報に対応する態様で、可変入賞装置を第一の状態に制御する。このため、遊技者の意図するタイミングで可変入賞装置を第一の状態に制御することができ、より一層、識別情報に対する期待感を高揚させることによって、遊技に対する興趣の向上を図ることができる。
【０２６１】
また、（Ａ７）の処理をコンピュータ３００Ａに実行させることにより、遊技者によって操作可能な遊技操作手段の操作に応じて、識別情報の可変表示の結果が所定の表示態様となった場合に、表示態様情報を保持させるか否かを決定する。このため、遊技者の所望とする遊技態様で遊技を行うことができる。
【０２６２】
また、（Ａ８）の処理をコンピュータ３００Ａに実行させることにより、保持されている表示態様情報に関する報知を行う。このため、保持されている表示態様情報の数や、第一の状態に移行させる時間など、表示態様情報を遊技者に認識させる機会を提供することにより、より一層、識別情報に対する期待感を高揚させることによって、遊技に対する興趣の向上を図ることができる。
【０２６３】
尚、本実施形態においては、ＣＤ−ＲＯＭ、ＤＶＤ−ＲＯＭ、ＲＯＭカートリッジ等、コンピュータ３００Ａに挿脱可能な記憶媒体に記憶されたシミュレーションプログラムに従い、制御部を各種の手段として機能させるように構成したが、本発明はこれに限らず、例えば、上述した記憶媒体よりコンピュータ３００Ａに内蔵された記憶部にプログラムをインストールし、コンピュータ３００Ａに内蔵された記憶部に記憶されたシミュレーションプログラムに従い、上述した実施形態における各種の手段として制御部を機能させるように構成してもよい。
【０２６４】
また、上述した実施形態においては、一つのコンピュータ３００Ａにおいて各種の処理を実行させるように構成したが、本発明はこれに限らず、他のコンピュータ（例えばゲームサーバ）と、それらの処理を別々に分けて実行させるように構成してもよい。
【０２６５】
他のコンピュータを用いて実行されるシミュレーションプログラムについて図３１を用いて説明する。尚、図３１は、シミュレーションプログラムを実行するゲームシステムを示す概略図である。
【０２６６】
図３１に示すように、ネットワーク５００には、コンピュータ３００Ａ、３００Ｂ、…と、その他のコンピュータであるゲームサーバ４００と、が接続されている。つまり、これらのコンピュータ３００Ａ、３００Ｂ、…は、ゲームサーバ４００に対して通信可能に接続されている。また、ゲームサーバ４００は、制御部（図示せず）と、プログラムを記憶する記憶部（図示せず）と、を備え、制御部は、記憶部に記憶されたプログラムに従って、各種の処理を実行する。
【０２６７】
この場合には、上述した実施形態において具体的に記載された処理を、コンピュータ３００Ａ、３００Ｂ、…と、ゲームサーバ４００とに、別々に分けて実行させるように構成してもよい。
【０２６８】
本実施形態におけるパチンコ遊技を模するシミュレーションプログラムの一例を挙げると、上述した（Ａ３）から（Ａ７）の処理を実行させるシミュレーションプログラムをゲームサーバ４００の記憶部に記憶し、上述した（Ａ１）、（Ａ２）、（Ａ８）の処理を実行させるシミュレーションプログラムをコンピュータ３００Ａ、３００Ｂ、…の記憶部に記憶する。これにより、ゲームサーバ４００の制御部は、（Ａ３）から（Ａ７）の処理を実行し、コンピュータ３００Ａ、３００Ｂ、…の制御部は、（Ａ１）、（Ａ２）、（Ａ８）の処理を実行することとなる。もちろん、上述した処理については一例であり、他の装置によって各種の処理を実行するようにしてもよい。
【０２６９】
尚、本実施形態においては、コンピュータ３００Ａ、３００Ｂ、…の各々とゲームサーバ４００とに、シミュレーションプログラムに含まれる各種の処理を実行させるように構成したが、本発明はこれに限らず、各種の処理を実行させるためのシミュレーションプログラムをゲームサーバ４００に記憶し、コンピュータ３００Ａ、３００Ｂ、…からゲームサーバ４００に供給されるダウンロード要求に応じて、ゲームサーバ４００からコンピュータ３００Ａ、３００Ｂ、…にシミュレーションプログラムをダウンロードすることにより、コンピュータ３００Ａ、３００Ｂ、…にシミュレーションプログラムを実行させるように構成してもよい。
【０２７０】
以上、本発明の実施形態を説明したが、具体例を例示したに過ぎず、特に本発明を限定するものではない。すなわち、本発明は、主に、遊技球が転動可能な遊技領域を有する遊技盤と、前記遊技盤の前記遊技領域における所定領域を遊技球が通過したことを条件に識別情報の可変表示を行う可変表示手段と、前記遊技盤の前記遊技領域において、遊技球を受け入れ易い第一の状態と遊技球を受け入れ難い第二の状態とに変位可能な可変入賞装置と、前記識別情報の可変表示の結果が所定の表示態様となったことを条件に、前記可変入賞装置を所定の態様で前記第一の状態に制御する可変入賞装置制御手段とを備えた弾球遊技機において、前記識別情報の可変表示の結果が所定の表示態様となったことを条件に、当該所定の表示態様となったことに関する表示態様情報を保持する表示態様情報保持手段とを備え、前記可変入賞装置制御手段は、前記表示態様情報保持手段によって保持された表示態様情報が複数となったことを条件に、当該表示態様情報のうち複数の表示態様情報に対応する態様で前記可変入賞装置を前記第一の状態に制御する機能を有することを特徴とするものであるが、遊技盤、可変表示手段、可変入賞装置、可変入賞装置制御手段、表示態様情報保持手段、解除操作手段、遊技操作手段、情報保持決定手段、表示態様情報報知手段などの具体的構成は、適宜設計変更可能である。
【０２７１】
尚、本発明の実施形態に記載された効果は、本発明から生じる最も好適な効果を列挙したに過ぎず、本発明による効果は、本発明の実施形態に記載されたものに限定されるものではない。
【図面の簡単な説明】
【０２７２】
【図１】本発明の一実施形態のパチンコ遊技機における概観を示す外観図である。
【図２】本発明の一実施形態のパチンコ遊技機における概観を示す分解斜視図である。
【図３】本発明の一実施形態のパチンコ遊技機における遊技盤を示す正面図である。
【図４】本発明の一実施形態のパチンコ遊技機において表示される表示画面を示す説明図である。
【図５】本発明の一実施形態のパチンコ遊技機において表示される表示画面を示す説明図である。
【図６】本発明の一実施形態のパチンコ遊技機において実行される制御処理を示すフローチャートである。
【図７】本発明の一実施形態のパチンコ遊技機において実行される制御処理を示すフローチャートである。
【図８】本発明の一実施形態のパチンコ遊技機において実行される制御処理を示すフローチャートである。
【図９】本発明の一実施形態のパチンコ遊技機において実行される制御処理を示すフローチャートである。
【図１０】本発明の一実施形態のパチンコ遊技機において実行される制御処理を示すフローチャートである。
【図１１】本発明の一実施形態のパチンコ遊技機において実行される制御処理の状態遷移を示す説明図である。
【図１２】本発明の一実施形態のパチンコ遊技機において実行される制御処理を示すフローチャートである。
【図１３】本発明の一実施形態のパチンコ遊技機において実行される制御処理を示すフローチャートである。
【図１４】本発明の一実施形態のパチンコ遊技機において実行される制御処理を示すフローチャートである。
【図１５】本発明の一実施形態のパチンコ遊技機において実行される制御処理を示すフローチャートである。
【図１６】本発明の一実施形態のパチンコ遊技機において実行される制御処理を示すフローチャートである。
【図１７】本発明の一実施形態のパチンコ遊技機において実行される制御処理を示すフローチャートである。
【図１８】本発明の一実施形態のパチンコ遊技機において実行される制御処理を示すフローチャートである。
【図１９】本発明の一実施形態のパチンコ遊技機において実行される制御処理を示すフローチャートである。
【図２０】本発明の一実施形態のパチンコ遊技機において実行される制御処理を示すフローチャートである。
【図２１】本発明の一実施形態のパチンコ遊技機において実行される制御処理を示すフローチャートである。
【図２２】本発明の一実施形態のパチンコ遊技機において実行される制御処理を示すフローチャートである。
【図２３】本発明の一実施形態のパチンコ遊技機において実行される制御処理を示すフローチャートである。
【図２４】本発明の一実施形態のパチンコ遊技機において実行される制御処理を示すフローチャートである。
【図２５】本発明の一実施形態のパチンコ遊技機において実行される制御処理を示すフローチャートである。
【図２６】本発明の一実施形態のパチンコ遊技機における遊技盤を示す説明図である。
【図２７】本発明の一実施形態のパチンコ遊技機において構成される扉と遊技盤とを示す断面図である。
【図２８】本発明の一実施形態のパチンコ遊技機において構成される主制御回路を示すブロック図である。
【図２９】本発明の一実施形態のゲーム機を示す概略図である。
【図３０】本発明の一実施形態のコンピュータを示す概略図である。
【図３１】本発明の一実施形態のゲームシステムを示す概略図である。
【符号の説明】
【０２７３】
１０    パチンコ遊技機
１４    遊技盤
２６    発射ハンドル
３２    液晶表示装置
３２ａ  表示領域
３３    特別図柄表示装置
３５    普通図柄表示装置
３９    大入賞口
４０    シャッタ
４４    始動口
６０    主制御回路
６６    メインＣＰＵ
６８    メインＲＯＭ
７０    メインＲＡＭ
８８    ゲーム操作部
１１６  始動入賞球センサ
１２０  大入賞口ソレノイド
２００  副制御回路
２０６  サブＣＰＵ
２０８  プログラムＲＯＭ
２１０  ワークＲＡＭ
２５０  表示制御回路
【図１】
2006230671.tif 000003
【図２】
2006230671.tif 000004
【図３】
2006230671.tif 000005
【図４】
2006230671.tif 000006
【図５】
2006230671.tif 000007
【図６】
2006230671.tif 000008
【図７】
2006230671.tif 000009
【図８】
2006230671.tif 000010
【図９】
2006230671.tif 000011
【図１０】
2006230671.tif 000012
【図１１】
2006230671.tif 000013
【図１２】
2006230671.tif 000014
【図１３】
2006230671.tif 000015
【図１４】
2006230671.tif 000016
【図１５】
2006230671.tif 000017
【図１６】
2006230671.tif 000018
【図１７】
2006230671.tif 000019
【図１８】
2006230671.tif 000020
【図１９】
2006230671.tif 000021
【図２０】
2006230671.tif 000022
【図２１】
2006230671.tif 000023
【図２２】
2006230671.tif 000024
【図２３】
2006230671.tif 000025
【図２４】
2006230671.tif 000026
【図２５】
2006230671.tif 000027
【図２６】
2006230671.tif 000028
【図２７】
2006230671.tif 000029
【図２８】
2006230671.tif 000030
【図２９】
2006230671.tif 000031
【図３０】
2006230671.tif 000032
【図３１】
2006230671.tif 000033